(57)【特許請求の範囲】
【請求項１】
端末装置と通信する基地局装置であって、
第１の上りリンク下りリンク設定を示す第１の情報と、第２の上りリンク下りリンク設定を示す第２の情報と、を含むＲＲＣメッセージを送信し、サウンディング参照信号の送信のスケジューリングに用いられる第３の上りリンク下りリンク設定を示す第３の情報を物理下りリンク制御チャネルを介して前記端末装置に送信する送信部と、
前記第１の上りリンク下りリンク設定である上りリンク参照上りリンク下りリンク設定に少なくとも基づいて、物理下りリンク制御チャネルに対応する物理上りリンク共用チャネルを前記端末装置から受信し、
前記第２の上りリンク下りリンク設定である下りリンク参照上りリンク下りリンク設定に少なくとも基づいて、物理下りリンク共用チャネルに対応するＨＡＲＱ‐ＡＣＫを前記端末装置から受信する受信部と、
を備え、
前記第３の上りリンク下りリンク設定は、物理下りリンク制御チャネルのモニタリングに用いられ、
前記第１の上りリンク下りリンク設定によって下りリンクサブフレームまたはスペシャルサブフレームとして示されるサブフレームは、前記第２の上りリンク下りリンク設定によって上りリンクサブフレームとして示されず、
前記第２の上りリンク下りリンク設定によって上りリンクサブフレームまたはスペシャルサブフレームとして示されるサブフレームは、前記第３の上りリンク下りリンク設定によって下りリンクサブフレームとして示されず、
前記第１の上りリンク下りリンク設定によって下りリンクサブフレームまたはスペシャルサブフレームとして示されるサブフレームは、前記第３の上りリンク下りリンク設定によって上りリンクサブフレームとして示されない、
基地局装置。
【請求項２】
基地局装置と通信する端末装置であって、
第１の上りリンク下りリンク設定を示す第１の情報と、第２の上りリンク下りリンク設定を示す第２の情報と、を含むＲＲＣメッセージを受信し、サウンディング参照信号の送信のスケジューリングに用いられる第３の上りリンク下りリンク設定を示す第３の情報を物理下りリンク制御チャネルを介して前記基地局装置から受信する受信部と、
前記第１の上りリンク下りリンク設定である上りリンク参照上りリンク下りリンク設定に少なくとも基づいて、物理下りリンク制御チャネルに対応する物理上りリンク共用チャネルを前記基地局装置に送信し、
前記第２の上りリンク下りリンク設定である下りリンク参照上りリンク下りリンク設定に少なくとも基づいて、物理下りリンク共用チャネルに対応するＨＡＲＱ‐ＡＣＫを前記基地局装置に送信する送信部と、
を備え、
前記第３の上りリンク下りリンク設定は、物理下りリンク制御チャネルのモニタリングに用いられ、
前記第１の上りリンク下りリンク設定によって下りリンクサブフレームまたはスペシャルサブフレームとして示されるサブフレームは、前記第２の上りリンク下りリンク設定によって上りリンクサブフレームとして示されず、
前記第２の上りリンク下りリンク設定によって上りリンクサブフレームまたはスペシャルサブフレームとして示されるサブフレームは、前記第３の上りリンク下りリンク設定によって下りリンクサブフレームとして示されず、
前記第１の上りリンク下りリンク設定によって下りリンクサブフレームまたはスペシャルサブフレームとして示されるサブフレームは、前記第３の上りリンク下りリンク設定によって上りリンクサブフレームとして示されない、
端末装置。
【請求項３】
端末装置と通信する基地局装置に用いられる通信方法であって、
第１の上りリンク下りリンク設定を示す第１の情報と、第２の上りリンク下りリンク設定を示す第２の情報と、を含むＲＲＣメッセージを送信し、サウンディング参照信号の送信のスケジューリングに用いられる第３の上りリンク下りリンク設定を示す第３の情報を物理下りリンク制御チャネルを介して前記端末装置に送信する送信ステップと、
前記第１の上りリンク下りリンク設定である上りリンク参照上りリンク下りリンク設定に少なくとも基づいて、物理下りリンク制御チャネルに対応する物理上りリンク共用チャネルを前記端末装置から受信し、
前記第２の上りリンク下りリンク設定である下りリンク参照上りリンク下りリンク設定に少なくとも基づいて、物理下りリンク共用チャネルに対応するＨＡＲＱ‐ＡＣＫを前記端末装置から受信する受信ステップと、
を有し、
前記第３の上りリンク下りリンク設定は、物理下りリンク制御チャネルのモニタリングに用いられ、
前記第１の上りリンク下りリンク設定によって下りリンクサブフレームまたはスペシャルサブフレームとして示されるサブフレームは、前記第２の上りリンク下りリンク設定によって上りリンクサブフレームとして示されず、
前記第２の上りリンク下りリンク設定によって上りリンクサブフレームまたはスペシャルサブフレームとして示されるサブフレームは、前記第３の上りリンク下りリンク設定によって下りリンクサブフレームとして示されず、
前記第１の上りリンク下りリンク設定によって下りリンクサブフレームまたはスペシャルサブフレームとして示されるサブフレームは、前記第３の上りリンク下りリンク設定によって上りリンクサブフレームとして示されない、
通信方法。
【請求項４】
基地局装置と通信する端末装置に用いられる通信方法であって、
第１の上りリンク下りリンク設定を示す第１の情報と、第２の上りリンク下りリンク設定を示す第２の情報と、を含むＲＲＣメッセージを受信し、サウンディング参照信号の送信のスケジューリングに用いられる第３の上りリンク下りリンク設定を示す第３の情報を物理下りリンク制御チャネルを介して前記基地局装置から受信する受信ステップと、
前記第１の上りリンク下りリンク設定である上りリンク参照上りリンク下りリンク設定に少なくとも基づいて、物理下りリンク制御チャネルに対応する物理上りリンク共用チャネルを前記基地局装置に送信し、
前記第２の上りリンク下りリンク設定である下りリンク参照上りリンク下りリンク設定に少なくとも基づいて、物理下りリンク共用チャネルに対応するＨＡＲＱ‐ＡＣＫを前記基地局装置に送信する送信ステップと、
を有し、
前記第３の上りリンク下りリンク設定は、物理下りリンク制御チャネルのモニタリングに用いられ、
前記第１の上りリンク下りリンク設定によって下りリンクサブフレームまたはスペシャルサブフレームとして示されるサブフレームは、前記第２の上りリンク下りリンク設定によって上りリンクサブフレームとして示されず、
前記第２の上りリンク下りリンク設定によって上りリンクサブフレームまたはスペシャルサブフレームとして示されるサブフレームは、前記第３の上りリンク下りリンク設定によって下りリンクサブフレームとして示されず、
前記第１の上りリンク下りリンク設定によって下りリンクサブフレームまたはスペシャルサブフレームとして示されるサブフレームは、前記第３の上りリンク下りリンク設定によって上りリンクサブフレームとして示されない、
通信方法。
【発明の詳細な説明】
【技術分野】
【０００１】
本発明は、基地局装置、端末装置、および通信方法に関する。
【背景技術】
【０００２】
セルラー移動通信の無線アクセス方式および無線ネットワーク（以下、「Long Term Evolution （LTE）」、または、「Evolved Universal Terrestrial Radio Access : EUTRA」と称する。）が、第三世代パートナーシッププロジェクト（3rd Generation Partnership Project: 3GPP）において検討されている。ＬＴＥでは、下りリンクの通信方式として、直交周波数分割多重（Orthogonal Frequency Division Multiplexing: OFDM）方式が用いられる。ＬＴＥでは、上りリンクの通信方式として、ＳＣ−ＦＤＭＡ（Single-Carrier Frequency Division Multiple Access）方式が用いられる。ＬＴＥでは、基地局装置をｅＮｏｄｅＢ（evolved NodeB）、移動局装置をＵＥ（User Equipment）とも称する。ＬＴＥは、基地局装置がカバーするエリアをセル状に複数配置するセルラー通信システムである。単一の基地局装置は複数のセルを管理してもよい。【０００３】
ＬＴＥは、時分割複信（Time Division Duplex: TDD）に対応している。ＴＤＤ方式を採用したＬＴＥをＴＤ−ＬＴＥまたはＬＴＥ  ＴＤＤとも称する。ＴＤＤは、上りリンク信号と下りリンク信号を時分割多重することによって、単一の周波数帯域において全二重通信（full duplex communication）を可能にする技術である。【０００４】
３ＧＰＰにおいて、上りリンクのトラフィックと下りリンクのトラフィックに応じて、上りリンクリソースと下りリンクリソースの比率を変更するトラフィックアダプテーション技術と干渉軽減技術（DL-UL Interference Management and Traffic Adaptation）をＴＤ−ＬＴＥに適用することが検討されている。【０００５】
非特許文献１において、フレキシブルサブフレーム（flexible subframe）を用いる方法が、トラフィックアダプテーションを実現する方法として提示されている。基地局装置は、フレキシブルサブフレームにおいて、上りリンク信号の受信または下りリンク信号の送信を行なうことができる。非特許文献１において、移動局装置は、基地局装置によって、フレキシブルサブフレームにおいて上りリンク信号の送信を指示されない限り、該フレキシブルサブフレームを下りリンクサブフレームとみなす。該トラフィックアダプテーション技術をダイナミックＴＤＤとも称する。【０００６】
非特許文献１には、新たに導入するUL-DL configurationに基づいてＰＤＳＣＨ（Physical Downlink Shared CHannel）に対するＨＡＲＱ（Hybrid Automatic Repeat reQuest）タイミングを決定し、最初のUL-DL configurationに基づいてＰＵＳＣＨ（Physical Uplink Shared CHannel）に対するＨＡＲＱタイミングを決定することが記載されている。【０００７】
非特許文献２には、（ａ）UL/DL Reference Configurationを導入すること、（ｂ）いくつかのサブフレームはスケジューラからのダイナミック・グラント／アサインメントによって上りリンク、または下りリンクの何れかのためにスケジュールされ得ることが記載されている。
【先行技術文献】
【非特許文献】
【０００８】
【非特許文献１】"On standardization impact of TDD UL-DL adaptation", R1-122016, Ericsson, ST-Ericsson, 3GPP TSG-RAN WG1 Meeting #69, Prague, Czech Republic,21st - 25th May 2012.
【非特許文献２】"Signalling support for dynamic TDD", R1-130558, Ericsson, ST-Ericsson, 3GPP TSG-RAN WG1 Meeting #72, St Julian’s, Malta, 28th January - 1st February 2013.
【発明の概要】
【発明が解決しようとする課題】
【０００９】
上りリンクリソースと下りリンクリソースの比率を変更しない場合に比べて、トラフィックアダプテーション技術を適用した場合には、大きなスループットの改善が得られる。しかしながら、端末装置がスケジューラからのスケジューリング情報を誤って受信／復号してしまった場合には、基地局装置が他の端末装置に対する下りリンクの信号を送信するサブフレームにおいて、該端末装置が上りリンクの信号を送信してしまい、該上りリンクの信号が該下りリンクの信号への干渉となってしまうという問題がある。【００１０】
本発明は上記の点に鑑みてなされたものであり、その目的は、端末装置が誤って上りリンクの信号を送信する確率を低減することができる基地局装置、端末装置、および通信方法を提供することを目的とする。
【課題を解決するための手段】
【００１１】
（１）上記の目的を達成するために、本発明は、以下のような手段を講じた。すなわち、本発明の基地局装置は、端末装置と通信する基地局装置であって、第１の設定を示す第１の情報、第２の設定を示す第２の情報、および、第３の設定を示す第３の情報を送信する送信部と、を備え、前記第１の設定は、物理下りリンク制御チャネルが配置されるサブフレームと前記物理下りリンク制御チャネルが対応する物理上りリンク共用チャネルが配置されるサブフレームとの対応を決定するために用いられ、前記第２の設定は、前記第１の設定に基づいて限定される設定セットにおける要素であり、物理下りリンク共用チャネルが配置されるサブフレームと前記物理下りリンク共用チャネルに対応するＨＡＲＱ−ＡＣＫが送信されるサブフレームとの対応を決定するために用いられ、前記第３の設定は、前記第１の設定および前記第２の設定に基づいて限定される設定セットにおける要素であり、前記物理下りリンク制御チャネルがモニタされるサブフレームを指示するために用いられる。【００１２】
（２）また、本発明の端末装置は、基地局装置と通信する端末装置であって、第１の設定を示す第１の情報、第２の設定を示す第２の情報、および、第３の設定を示す第３の情報を受信する受信部と、前記第１の設定、前記第２の設定、および、前記第３の設定をセットする設定部と、を備え、前記第１の設定は、物理下りリンク制御チャネルが配置されるサブフレームと前記物理下りリンク制御チャネルが対応する物理上りリンク共用チャネルが配置されるサブフレームとの対応を決定するために用いられ、前記第２の設定は、前記第１の設定に基づいて限定される設定セットにおける要素であり、物理下りリンク共用チャネルが配置されるサブフレームと前記物理下りリンク共用チャネルに対応するＨＡＲＱ−ＡＣＫが送信されるサブフレームとの対応を決定するために用いられ、前記第３の設定は、前記第１の設定および前記第２の設定に基づいて限定される設定セットにおける要素であり、前記物理下りリンク制御チャネルがモニタされるサブフレームを特定するために用いられる。【００１３】
（３）また、本発明の集積回路は、端末装置と通信する基地局装置に実装される集積回路であって、第１の設定を示す第１の情報を送信する機能と、第２の設定を示す第２の情報を送信する機能と、第３の設定を示す第３の情報を送信する機能と、を含む一連の機能を前記基地局装置に対して発揮させ、前記第１の設定は、物理下りリンク制御チャネルが配置されるサブフレームと前記物理下りリンク制御チャネルが対応する物理上りリンク共用チャネルが配置されるサブフレームとの対応を決定するために用いられ、前記第２の設定は、前記第１の設定に基づいて限定される設定セットにおける要素であり、物理下りリンク共用チャネルが配置されるサブフレームと前記物理下りリンク共用チャネルに対応するＨＡＲＱ−ＡＣＫが送信されるサブフレームとの対応を決定するために用いられ、前記第３の設定は、前記第１の設定および前記第２の設定に基づいて限定される設定セットにおける要素であり、前記物理下りリンク制御チャネルがモニタされるサブフレームを指示するために用いられる。【００１４】
（４）また、本発明の集積回路は、基地局装置と通信する端末装置に実装される集積回路であって、第１の設定を示す第１の情報、第２の設定を示す第２の情報、および、第３の設定を示す第３の情報を受信する機能と、前記第１の設定、前記第２の設定、および、前記第３の設定をセットする機能と、を前記端末装置に対して発揮させ、前記第１の設定は、物理下りリンク制御チャネルが配置されるサブフレームと前記物理下りリンク制御チャネルが対応する物理上りリンク共用チャネルが配置されるサブフレームとの対応を決定するために用いられ、前記第２の設定は、前記第１の設定に基づいて限定される設定セットにおける要素であり、物理下りリンク共用チャネルが配置されるサブフレームと前記物理下りリンク共用チャネルに対応するＨＡＲＱ−ＡＣＫが送信されるサブフレームとの対応を決定するために用いられ、前記第３の設定は、前記第１の設定および前記第２の設定に基づいて限定される設定セットにおける要素であり、前記物理下りリンク制御チャネルがモニタされるサブフレームを特定するために用いられる。【００１５】
（５）また、本発明の無線通信方法は、端末装置と通信する基地局装置に用いられる無線通信方法であって、第１の設定を示す第１の情報、第２の設定を示す第２の情報、および、第３の設定を示す第３の情報を送信し、前記第１の設定は、物理下りリンク制御チャネルが配置されるサブフレームと前記物理下りリンク制御チャネルが対応する物理上りリンク共用チャネルが配置されるサブフレームとの対応を決定するために用いられ、前記第２の設定は、前記第１の設定に基づいて限定される設定セットにおける要素であり、物理下りリンク共用チャネルが配置されるサブフレームと前記物理下りリンク共用チャネルに対応するＨＡＲＱ−ＡＣＫが送信されるサブフレームとの対応を決定するために用いられ、前記第３の設定は、前記第１の設定および前記第２の設定に基づいて限定される設定セットにおける要素であり、前記物理下りリンク制御チャネルがモニタされるサブフレームを指示するために用いられる。【００１６】
（６）また、本発明の無線通信方法は、基地局装置と通信する端末装置に用いられる無線通信方法であって、第１の設定を示す第１の情報、第２の設定を示す第２の情報、および、第３の設定を示す第３の情報を受信し、前記第１の設定、前記第２の設定、および、前記第３の設定をセットし、前記第１の設定は、物理下りリンク制御チャネルが配置されるサブフレームと前記物理下りリンク制御チャネルが対応する物理上りリンク共用チャネルが配置されるサブフレームとの対応を決定するために用いられ、前記第２の設定は、前記第１の設定に基づいて限定される設定セットにおける要素であり、物理下りリンク共用チャネルが配置されるサブフレームと前記物理下りリンク共用チャネルに対応するＨＡＲＱ−ＡＣＫが送信されるサブフレームとの対応を決定するために用いられ、前記第３の設定は、前記第１の設定および前記第２の設定に基づいて限定される設定セットにおける要素であり、前記物理下りリンク制御チャネルがモニタされるサブフレームを特定するために用いられる。
【発明の効果】
【００１７】
この発明によれば、端末装置が誤って上りリンクの信号を送信する確率を低減することができる。
【図面の簡単な説明】
【００１８】
【図１】本実施形態の無線通信システムの概念図である。
【図２】本実施形態の無線フレームの概略構成を示す図である。
【図３】本実施形態のスロットの構成を示す図である。
【図４】本実施形態の下りリンクサブフレームにおける物理チャネルおよび物理信号の配置の一例を示す図である。
【図５】本実施形態の上りリンクサブフレームにおける物理チャネルおよび物理信号の配置の一例を示す図である。
【図６】本実施形態のスペシャルサブフレームにおける物理チャネルおよび物理信号の配置の一例を示す図である。
【図７】本実施形態の移動局装置１の構成を示す概略ブロック図である。
【図８】本実施形態の基地局装置３の構成を示す概略ブロック図である。
【図９】本実施形態におけるuplink - downlink configurationの一例を示す表である。
【図１０】本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。
【図１１】本実施形態におけるＰＨＩＣＨが配置されるサブフレームｎと前記ＰＨＩＣＨが対応するＰＵＳＣＨが配置されるサブフレームｎ−ｋとの対応を示す図である。
【図１２】本実施形態におけるＰＵＳＣＨが配置されるサブフレームｎと前記ＰＵＳＣＨが対応するＰＨＩＣＨが配置されるサブフレームｎ＋ｋとの対応を示す図である。
【図１３】本実施形態におけるＰＤＳＣＨが配置されるサブフレームｎ−ｋと前記ＰＤＳＣＨが対応するＨＡＲＱ−ＡＣＫが送信されるサブフレームｎとの対応を示す図である。
【図１４】本発明の第１の実施形態における上りリンク参照設定によって指示されるサブフレームと下りリンク参照設定によって指示されるサブフレームの関係を示す図である。
【図１５】本発明の第１の実施形態における上りリンク参照設定によって指示されるサブフレームと下りリンク参照設定によって指示されるサブフレームと送信方向設定によって指示されるサブフレームの関係を示す図である。
【図１６】本発明の第１の実施形態における上りリンク参照設定と下りリンク参照設定と送信方向設定の関係を示す図である。
【図１７】本発明の第１の実施形態における基地局装置３と移動局装置１（１A、１B）との通信の一例を示す図である。
【図１８】本発明の第２の実施形態における上りリンク参照設定と下りリンク参照設定と送信方向設定の関係を示す図である。
【図１９】本発明の第３の実施形態の一例を示すシーケンス図である。
【図２０】本発明の第４の実施形態の一例を示すシーケンス図である。
【図２１】本発明の第５の実施形態の一例を示す図である。
【発明を実施するための形態】
【００１９】
以下、本発明の実施形態について説明する。
【００２０】
本実施形態では、移動局装置は、単一のセルが設定される。移動局装置に対して設定される複数のセルのそれぞれにおいて、本発明が適用されてもよい。移動局装置が複数のセルと通信する技術をセルアグリゲーション、またはキャリアアグリゲーションと称する。また、設定された複数のセルの一部において、本発明が適用されてもよい。移動局装置に設定されるセルを、サービングセルとも称する。
【００２１】
本実施形態の無線通信システムは、ＴＤＤ（Time Division Duplex）方式が適用される。本発明は、セルアグリゲーションの場合には、複数のセルのそれぞれにおいてＴＤＤ方式が適用されてもよい。
【００２２】
ＴＤＤが適用される複数のセルがアグリゲートされる場合には、half-duplex TDD方式またはfull-duplex TDD方式が適用される。Half-duplex TDD方式では、端末は、ＴＤＤが適用される複数のセルにおいて、上りリンクの送信と下りリンクの受信を同時に行なうことはできない。Full-duplex TDD方式では、端末は、ＴＤＤが適用される複数のセルにおいて、上りリンクの送信と下りリンクの受信を同時に行なうことができる。
【００２３】
ＴＤＤが適用されるセルとＦＤＤ（Frequency Division Duplex）が適用されるセルとがアグリゲーションされる場合に、ＴＤＤが適用されるセルに対して本発明を適用することができる。
【００２４】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２５】
図１は、本実施形態の無線通信システムの概念図である。図１において、無線通信システムは、移動局装置１Ａ〜１Ｃ、および基地局装置３を具備する。以下、移動局装置１Ａ〜１Ｃを移動局装置１という。
【００２６】
本実施形態の物理チャネルおよび物理信号について説明する。
【００２７】
図１において、移動局装置１から基地局装置３への上りリンクの無線通信では、以下の上りリンク物理チャネルが用いられる。上りリンク物理チャネルは、上位層から出力された情報を送信するために使用される。
・ＰＵＣＣＨ（Physical Uplink Control CHannel）
・ＰＵＳＣＨ（Physical Uplink Shared CHannel）
・ＰＲＡＣＨ（Physical Random Access CHannel）
ＰＵＣＣＨは、上りリンク制御情報（Uplink Control Information: UCI）を送信するために用いられる物理チャネルである。上りリンク制御情報は、下りリンクのチャネル状態情報（Channel State Information: CSI）、ＰＵＳＣＨリソースの要求を示すスケジューリング要求（Scheduling Request: SR）、下りリンクデータ（Transport block, Downlink-Shared CHannel: DL-SCH）に対するＡＣＫ（acknowledgement）／ＮＡＣＫ（negative-acknowledgement）を含む。ＡＣＫ／ＮＡＣＫを、ＨＡＲＱ−ＡＣＫ、ＨＡＲＱフィードバック、または、応答情報とも称する。
【００２８】
ＰＵＳＣＨは、上りリンクデータ（Uplink-Shared CHannel: UL-SCH）を送信するために用いられる物理チャネルである。また、ＰＵＳＣＨは、上りリンクデータと共にＡＣＫ／ＮＡＣＫおよび／またはチャネル状態情報を送信するために用いられてもよい。また、ＰＵＳＣＨはチャネル状態情報のみ、または、ＡＣＫ／ＮＡＣＫおよびチャネル状態情報のみを送信するために用いられてもよい。
【００２９】
ＰＲＡＣＨは、ランダムアクセスプリアンブルを送信するために用いられる物理チャネルである。ＰＲＡＣＨは、移動局装置１が基地局装置３と時間領域の同期をとることを主な目的とする。その他に、ＰＲＡＣＨは、初期コネクション確立（initial connection establishment）プロシージャ、ハンドオーバプロシージャ、コネクション再確立（connection re-establishment）プロシージャ、上りリンク送信に対する同期（タイミング調整）、およびＰＵＳＣＨリソースの要求を示すためにも用いられる。
【００３０】
図１において、上りリンクの無線通信では、以下の上りリンク物理信号が用いられる。上りリンク物理信号は、上位層から出力された情報を送信するために使用されないが、物理層によって使用される。
・上りリンク参照信号（Uplink Reference Signal: UL RS）
本実施形態において、以下の２つのタイプの上りリンク参照信号が用いられる。
・ＤＭＲＳ（DeModulation Reference Signal）
・ＳＲＳ（Sounding Reference Signal）
ＤＭＲＳは、ＰＵＳＣＨまたはＰＵＣＣＨの送信に関連する。ＤＭＲＳは、ＰＵＳＣＨまたはＰＵＣＣＨと時間多重される。基地局装置３は、ＰＵＳＣＨまたはＰＵＣＣＨの伝搬路補正を行なうためにＤＭＲＳを使用する。以下、ＰＵＳＣＨとＤＭＲＳを共に送信することを、単にＰＵＳＣＨを送信すると称する。以下、ＰＵＣＣＨとＤＭＲＳを共に送信することを、単にＰＵＣＣＨを送信すると称する。
【００３１】
ＳＲＳは、ＰＵＳＣＨまたはＰＵＣＣＨの送信に関連しない。基地局装置３は、上りリンクのチャネル状態を測定するためにＳＲＳを使用する。移動局装置１は、上位層によって設定された第１のリソースにおいて第１のＳＲＳを送信する。さらに、移動局装置１は、ＰＤＣＣＨを介してＳＲＳの送信を要求することを示す情報を受信した場合に、上位層によって設定された第２のリソースにおいて第２のＳＲＳを１回のみ送信する。第１のＳＲＳをピリオディックＳＲＳとも称する。第２のＳＲＳをアピリオディックＳＲＳとも称する。
【００３２】
図１において、基地局装置３から移動局装置１への下りリンクの無線通信では、以下の下りリンク物理チャネルが用いられる。下りリンク物理チャネルは、上位層から出力された情報を送信するために使用される。
・ＰＢＣＨ（Physical Broadcast CHannel）
・ＰＣＦＩＣＨ（Physical Control Format Indicator CHannel）
・ＰＨＩＣＨ（Physical Hybrid automatic repeat request Indicator CHannel）
・ＰＤＣＣＨ（Physical Downlink Control CHannel）
・ＥＰＤＣＣＨ（Enhanced Physical Downlink Control CHannel）
・ＰＤＳＣＨ（Physical Downlink Shared CHannel）
ＰＢＣＨは、移動局装置１で共通に用いられるマスターインフォメーションブロック（Master Information Block: MIB, Broadcast CHannel: BCH）を報知するために用いられる。ＭＩＢは、４０ｍｓ間隔で送信され、ＭＩＢは１０ｍｓ周期で繰り返し送信される。具体的には、ＳＦＮ ｍｏｄ ４ ＝ ０を満たす無線フレームにおけるサブフレーム０においてＭＩＢの初期送信が行なわれ、他の全ての無線フレームにおけるサブフレーム０においてＭＩＢの再送信（repetition）が行なわれる。ＳＦＮ（system frame number）は無線フレームの番号である。ＭＩＢはシステム情報である。例えば、ＭＩＢは、ＳＦＮを示す情報を含む。
【００３３】
ＰＣＦＩＣＨは、ＰＤＣＣＨの送信に用いられる領域（ＯＦＤＭシンボル）を指示する情報を送信するために用いられる。
【００３４】
ＰＨＩＣＨは、基地局装置３が受信した上りリンクデータ（Uplink Shared CHannel: UL-SCH）に対するＡＣＫ（ACKnowledgement）またはＮＡＣＫ（Negative ACKnowledgement）を示すＨＡＲＱインディケータ（ＨＡＲＱフィードバック、応答情報）を送信するために用いられる。例えば、移動局装置１がＡＣＫを示すＨＡＲＱインディケータを受信した場合は、対応する上りリンクデータを再送しない。例えば、移動局装置１がＮＡＣＫを示すＨＡＲＱインディケータを受信した場合は、対応する上りリンクデータを再送する。単一のＰＨＩＣＨは、単一の上りリンクデータに対するＨＡＲＱインディケータを送信する。基地局装置３は、同一のＰＵＳＣＨに含まれる複数の上りリンクデータに対するＨＡＲＱインディケータのそれぞれを複数のＰＨＩＣＨを用いて送信する。
【００３５】
ＰＤＣＣＨおよびＥＰＤＣＣＨは、下りリンク制御情報（Downlink Control Information: DCI）を送信するために用いられる。下りリンク制御情報を、ＤＣＩフォーマットとも称する。下りリンク制御情報は、下りリンクグラント（downlink assignment；または下りリンクアサインメント「downlink assignment」とも称する。）および上りリンクグラント（uplink grant）を含む。下りリンクグラントは、単一のセル内の単一のＰＤＳＣＨのスケジューリングに用いられる下りリンク制御情報である。下りリンクグラントは、該下りリンクグラントが送信されたサブフレームと同じサブフレーム内のＰＤＳＣＨのスケジューリングに用いられる。上りリンクグラントは、単一のセル内の単一のＰＵＳＣＨのスケジューリングに用いられる下りリンク制御情報である。上りリンクグラントは、該上りリンクグラントが送信されたサブフレームよりも４つ以上後のサブフレーム内の単一のＰＵＳＣＨのスケジューリングに用いられる。
【００３６】
ＤＣＩフォーマットには、ＣＲＣ（Cyclic Redundancy Check）パリティビットが付加される。ＣＲＣパリティビットは、Ｃ−ＲＮＴＩ（Cell-Radio Network Temporary Identifier）、または、ＳＰＳ  Ｃ−ＲＮＴＩ（Semi Persistent Scheduling Cell-Radio Network Temporary Identifier）でスクランブルされる。Ｃ−ＲＮＴＩおよびＳＰＳ  Ｃ−ＲＮＴＩは、セル内において移動局装置を識別するための識別子である。
【００３７】
Ｃ−ＲＮＴＩは、単一のサブフレームにおけるＰＤＳＣＨまたはＰＵＳＣＨを制御するために用いられる。ＳＰＳ  Ｃ−ＲＮＴＩは、ＰＤＳＣＨまたはＰＵＳＣＨのリソースを周期的に割り当てるために用いられる。
【００３８】
ＰＤＳＣＨは、下りリンクデータ（Downlink Shared CHannel: DL-SCH）を送信するために用いられる。
【００３９】
図１において、下りリンクの無線通信では、以下の下りリンク物理信号が用いられる。下りリンク物理信号は、上位層から出力された情報を送信するために使用されないが、物理層によって使用される。
・同期信号（Synchronization Signal: SS）
・下りリンク参照信号（Downlink Reference Signal: DL RS）
同期信号は、移動局装置１が下りリンクの周波数領域および時間領域の同期をとるために用いられる。下りリンク参照信号は、移動局装置１が下りリンク物理チャネルの伝搬路補正を行なうために用いられる。下りリンク参照信号は、移動局装置１が下りリンクのチャネル状態情報を算出するために用いられる。ＴＤＤ方式において、同期信号は無線フレーム内のサブフレーム０、１、５、６のみに配置される。ＦＤＤ方式において、同期信号は無線フレーム内のサブフレーム０と５のみに配置される。
【００４０】
本実施形態において、以下の５つのタイプの下りリンク参照信号が用いられる。
・ＣＲＳ（Cell-specific Reference Signal）
・ＰＤＳＣＨに関連するＵＲＳ（UE-specific Reference Signal）
・ＥＰＤＣＣＨに関連するＤＭＲＳ（DeModulation Reference Signal）
・ＮＺＰ  ＣＳＩ−ＲＳ（Non-Zero Power Chanel State Information Reference Signal）
・ＺＰ  ＣＳＩ−ＲＳ（Zero Power Chanel State Information Reference Signal）
【００４１】
ＣＲＳは、全てのサブフレームで送信される。ＣＲＳは、ＰＢＣＨ／ＰＤＣＣＨ／ＰＨＩＣＨ／ＰＣＦＩＣＨ／ＰＤＳＣＨの復調を行なうために用いられる。ＣＲＳは、移動局装置１が下りリンクのチャネル状態情報を算出するために用いられてもよい。ＰＢＣＨ／ＰＤＣＣＨ／ＰＨＩＣＨ／ＰＣＦＩＣＨは、ＣＲＳの送信に用いられるアンテナポートで送信される。
【００４２】
ＰＤＳＣＨに関連するＵＲＳは、ＵＲＳが関連するＰＤＳＣＨの送信に用いられるサブフレームおよび帯域で送信される。ＵＲＳは、ＵＲＳが関連するＰＤＳＣＨの復調を行なうために用いられる。
【００４３】
ＰＤＳＣＨは、ＣＲＳまたはＵＲＳの送信に用いられるアンテナポートで送信される。ＤＣＩフォーマット１Ａは、ＣＲＳの送信に用いられるアンテナポートで送信されるＰＤＳＣＨのスケジューリングに用いられる。ＤＣＩフォーマット２Ｄは、ＵＲＳの送信に用いられるアンテナポートで送信されるＰＤＳＣＨのスケジューリングに用いられる。
【００４４】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。ＥＰＤＣＣＨは、ＤＭＲＳの送信に用いられるアンテナポートで送信される。
【００４５】
ＮＺＰ  ＣＳＩ−ＲＳは、設定されたサブフレームで送信される。ＮＺＰ  ＣＳＩ−ＲＳが送信されるリソースは、基地局装置が設定する。ＮＺＰ  ＣＳＩ−ＲＳは、移動局装置１が下りリンクのチャネル状態情報を算出するために用いられる。
【００４６】
ＺＰ  ＣＳＩ−ＲＳのリソースは、基地局装置が設定する。基地局装置は、ＺＰ  ＣＳＩ−ＲＳを送信しない。基地局装置は、ＺＰ  ＣＳＩ−ＲＳの設定したリソースにおいて、ＰＤＳＣＨおよびＥＰＤＣＣＨを送信しない。例えば、あるセルにおいてＮＺＰ  ＣＳＩ−ＲＳが送信されるリソースを、隣接するセルにおけるＺＰ  ＣＳＩ−ＲＳのリソースに設定することで、移動局装置は隣接するセルからの干渉がない該あるセルにおけるＣＳＩ−ＲＳを用いてチャネル状態情報を測定することができる。
【００４７】
下りリンク物理チャネルおよび下りリンク物理信号を総称して、下りリンク信号と称する。上りリンク物理チャネルおよび上りリンク物理信号を総称して、上りリンク信号と称する。下りリンク物理チャネルおよび上りリンク物理チャネルを総称して、物理チャネルと称する。下りリンク物理信号および上りリンク物理信号を総称して、物理信号と称する。
【００４８】
ＢＣＨ、ＵＬ−ＳＣＨおよびＤＬ−ＳＣＨは、トランスポートチャネルである。媒体アクセス制御（Medium Access Control: MAC）層で用いられるチャネルをトランスポートチャネルと称する。ＭＡＣ層で用いられるトランスポートチャネルの単位を、トランスポートブロック（transport block: TB）またはＭＡＣ  ＰＤＵ（Protocol Data Unit）とも称する。ＭＡＣ層においてトランスポートブロック毎にＨＡＲＱ（Hybrid Automatic Repeat reQuest）の制御が行なわれる。トランスポートブロックは、ＭＡＣ層が物理層に渡す（deliver）データの単位である。物理層において、トランスポートブロックはコードワードにマップされ、コードワード毎に符号化処理が行なわれる。
【００４９】
以下、本実施形態の無線フレーム（radio frame）の構成について説明する。
【００５０】
図２は、本実施形態の無線フレームの概略構成を示す図である。無線フレームのそれぞれは、１０ｍｓ長である。また、無線フレームのそれぞれは２つのハーフフレームから構成される。ハーフフレームのそれぞれは、５ｍｓ長である。ハーフフレームのそれぞれは、５のサブフレームから構成される。サブフレームのそれぞれは、１ｍｓ長であり、２つの連続するスロットによって定義される。スロットのそれぞれは、０．５ｍｓ長である。無線フレーム内のｉ番目のサブフレームは、（２×ｉ）番目のスロットと（２×ｉ＋１）番目のスロットとから構成される。つまり、１０ｍｓ間隔のそれぞれにおいて、１０個のサブフレームが利用できる。
【００５１】
本実施形態では、以下の３つのタイプのサブフレームを定義する。
・下りリンクサブフレーム（第１のサブフレーム）
・上りリンクサブフレーム（第２のサブフレーム）
・スペシャルサブフレーム（第３のサブフレーム）
【００５２】
下りリンクサブフレームは下りリンク送信のためにリザーブされるサブフレームである。上りリンクサブフレームは上りリンク送信のためにリザーブされるサブフレームである。スペシャルサブフレームは３つのフィールドから構成される。該３つのフィールドは、ＤｗＰＴＳ（Downlink Pilot Time Slot）、ＧＰ（Guard Period）、およびＵｐＰＴＳ（Uplink Pilot Time Slot）である。ＤｗＰＴＳ、ＧＰ、およびＵｐＰＴＳの合計の長さは１ｍｓである。ＤｗＰＴＳは下りリンク送信のためにリザーブされるフィールドである。ＵｐＰＴＳは上りリンク送信のためにリザーブされるフィールドである。ＧＰは下りリンク送信および上りリンク送信が行なわれないフィールドである。尚、スペシャルサブフレームは、ＤｗＰＴＳおよびＧＰのみによって構成されてもよいし、ＧＰおよびＵｐＰＴＳのみによって構成されてもよい。
【００５３】
単一の無線フレームは、少なくとも下りリンクサブフレーム、上りリンクサブフレーム、およびスペシャルサブフレームから構成される。
【００５４】
本実施形態の無線通信システムは、５ｍｓと１０ｍｓの下りリンク‐上りリンク・スイッチポイント周期（downlink - to - uplink switch - point periodicity）をサポートする。downlink - to - uplink switch - point periodicityが５ｍｓの場合には、無線フレーム内の両方のハーフフレームにスペシャルサブフレームが含まれる。downlink - to - uplink switch - point periodicityが１０ｍｓの場合には、無線フレーム内の最初のハーフフレームのみにスペシャルサブフレームが含まれる。
【００５５】
以下、本実施形態のスロットの構成について説明する。
【００５６】
図３は、本実施形態のスロットの構成を示す図である。スロットのそれぞれにおいて送信される物理信号または物理チャネルは、リソースグリッドによって表現される。下りリンクにおいて、リソースグリッドは複数のサブキャリアと複数のＯＦＤＭシンボルによって定義される。上りリンクにおいて、リソースグリッドは複数のサブキャリアと複数のＳＣ−ＦＤＭＡシンボルによって定義される。１つのスロットを構成するサブキャリアの数は、セルの帯域幅に依存する。１つのスロットを構成するＯＦＤＭシンボルまたはＳＣ−ＦＤＭＡシンボルの数は７である。リソースグリッド内のエレメントのそれぞれをリソースエレメントと称する。リソースエレメントは、サブキャリアの番号とＯＦＤＭシンボルまたはＳＣ−ＦＤＭＡシンボルの番号とを用いて識別する。
【００５７】
リソースブロックは、ある物理チャネル（ＰＤＳＣＨまたはＰＵＳＣＨなど）のリソースエレメントへのマッピングを表現するために用いられる。リソースブロックは、仮想リソースブロックと物理リソースブロックが定義される。ある物理チャネルは、まず仮想リソースブロックにマップされる。その後、仮想リソースブロックは、物理リソースブロックにマップされる。１つの物理リソースブロックは、時間領域において７個の連続するＯＦＤＭシンボルまたはＳＣ−ＦＤＭＡシンボルと周波数領域において１２個の連続するサブキャリアとから定義される。ゆえに、１つの物理リソースブロックは（７×１２）個のリソースエレメントから構成される。また、１つの物理リソースブロックは、時間領域において１つのスロットに対応し、周波数領域において１８０ｋＨｚに対応する。物理リソースブロックは周波数領域において０から番号が付けられる。
【００５８】
以下、サブフレームのそれぞれにおいて送信される物理チャネルおよび物理信号について説明する。
【００５９】
図４は、本実施形態の下りリンクサブフレームにおける物理チャネルおよび物理信号の配置の一例を示す図である。基地局装置３は、下りリンクサブフレームにおいて、下りリンク物理チャネル（ＰＢＣＨ、ＰＣＦＩＣＨ、ＰＨＩＣＨ、ＰＤＣＣＨ、ＥＰＤＣＣＨ、ＰＤＳＣＨ）、および下りリンク物理信号（同期信号、下りリンク参照信号）を送信してもよい。尚、ＰＢＣＨは無線フレーム内のサブフレーム０のみで送信される。尚、下りリンク参照信号は周波数領域および時間領域において分散するリソースエレメントに配置される。説明の簡略化のため図４において下りリンク参照信号は図示しない。
【００６０】
ＰＤＣＣＨ領域において、複数のＰＤＣＣＨが周波数および時間多重されてもよい。ＥＰＤＣＣＨ領域において、複数のＥＰＤＣＣＨが周波数、時間、および空間多重されてもよい。ＰＤＳＣＨ領域において、複数のＰＤＳＣＨが周波数および空間多重されてもよい。ＰＤＣＣＨとＰＤＳＣＨまたはＥＰＤＣＣＨは時間多重されてもよい。ＰＤＳＣＨとＥＰＤＣＣＨは周波数多重されてもよい。
【００６１】
図５は、本実施形態の上りリンクサブフレームにおける物理チャネルおよび物理信号の配置の一例を示す図である。移動局装置１は、上りリンクサブフレームにおいて、上りリンク物理チャネル（ＰＵＣＣＨ、ＰＵＳＣＨ、ＰＲＡＣＨ）、および上りリンク物理信号（ＤＭＲＳ、ＳＲＳ）を送信してもよい。ＰＵＣＣＨ領域において、複数のＰＵＣＣＨが周波数、時間、および符合多重される。ＰＵＳＣＨ領域において、複数のＰＵＳＣＨが周波数および空間多重されてもよい。ＰＵＣＣＨとＰＵＳＣＨは周波数多重されてもよい。ＰＲＡＣＨは単一のサブフレームまたは２つのサブフレームにわたって配置されてもよい。また、複数のＰＲＡＣＨが符号多重されてもよい。
【００６２】
ＳＲＳは上りリンクサブフレーム内の最後のＳＣ−ＦＤＭＡシンボルを用いて送信される。つまり、ＳＲＳは上りリンクサブフレーム内の最後のＳＣ−ＦＤＭＡシンボルに配置される。移動局装置１は、単一のセルの単一のＳＣ−ＦＤＭＡシンボルにおいて、ＳＲＳとＰＵＣＣＨ／ＰＵＳＣＨ／ＰＲＡＣＨを同時に送信することはできない。移動局装置１は、単一のセルの単一の上りリンクサブフレームにおいて、該上りリンクサブフレーム内の最後のＳＣ−ＦＤＭＡシンボルを除くＳＣ−ＦＤＭＡシンボルを用いてＰＵＳＣＨおよび／またはＰＵＣＣＨを送信し、該上りリンクサブフレーム内の最後のＳＣ−ＦＤＭＡシンボルを用いてＳＲＳを送信することができる。つまり、単一のセルの単一の上りリンクサブフレームにおいて、移動局装置１は、ＳＲＳとＰＵＳＣＨ／ＰＵＣＣＨの両方を送信することができる。尚、ＤＭＲＳはＰＵＣＣＨまたはＰＵＳＣＨと時間多重される。説明の簡略化のため図５においてＤＭＲＳは図示しない。
【００６３】
図６は、本実施形態のスペシャルサブフレームにおける物理チャネルおよび物理信号の配置の一例を示す図である。図６において、ＤｗＰＴＳはスペシャルサブフレーム内の1番目から９番目のＳＣ−ＦＤＭＡシンボルから構成され、ＧＰはスペシャルサブフレーム内の１０番目から１２番目のＳＣ−ＦＤＭＡシンボルから構成され、ＵｐＰＴＳはスペシャルサブフレーム内の１３番目と１４番目のＳＣ−ＦＤＭＡシンボルから構成される。
【００６４】
基地局装置３は、スペシャルサブフレームのＤｗＰＴＳにおいて、ＰＣＦＩＣＨ、ＰＨＩＣＨ、ＰＤＣＣＨ、ＥＰＤＣＣＨ、ＰＤＳＣＨ、同期信号、および、下りリンク参照信号を送信しもてよい。基地局装置３は、スペシャルサブフレームのＤｗＰＴＳにおいて、ＰＢＣＨを送信しない。移動局装置１は、スペシャルサブフレームのＵｐＰＴＳにおいて、ＰＲＡＣＨ、およびＳＲＳを送信してもよい。つまり、移動局装置１は、スペシャルサブフレームのＵｐＰＴＳにおいて、ＰＵＣＣＨ、ＰＵＳＣＨ、およびＤＭＲＳを送信しない。
【００６５】
以下、本発明の第１の実施形態について説明する。
【００６６】
図７は、本実施形態の移動局装置１の構成を示す概略ブロック図である。図示するように、移動局装置１は、上位層処理部１０１、制御部１０３、受信部１０５、送信部１０７と送受信アンテナ１０９を含んで構成される。また、上位層処理部１０１は、無線リソース制御部１０１１、サブフレーム設定部１０１３とスケジューリング情報解釈部１０１５を含んで構成される。また、受信部１０５は、復号化部１０５１、復調部１０５３、多重分離部１０５５、無線受信部１０５７とチャネル測定部１０５９を含んで構成される。また、送信部１０７は、符号化部１０７１、変調部１０７３、多重部１０７５、無線送信部１０７７と上りリンク参照信号生成部１０７９を含んで構成される。
【００６７】
上位層処理部１０１は、ユーザの操作等により生成された上りリンクデータ（トランスポートブロック）を、送信部１０７に出力する。また、上位層処理部１０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。
【００６８】
上位層処理部１０１が備える無線リソース制御部１０１１は、自装置の各種設定情報の管理をする。また、無線リソース制御部１０１１は、上りリンクの各チャネルに配置される情報を生成し、送信部１０７に出力する。
【００６９】
上位層処理部１０１が備えるサブフレーム設定部１０１３は、上りリンク参照設定（Uplink reference configuration）、下りリンク参照設定（Downlink reference configuration）、および、送信方向設定（transmission direction configuration）の管理をする。サブフレーム設定部１０１３は、受信部１０５を介して受信した上りリンク参照設定を示す第１の情報に従って上りリンク参照設定をセットし、受信部１０５を介して受信した下りリンク参照設定を示す第２の情報に従って下りリンク参照設定をセットし、受信部１０５を介して受信した送信方向設定を示す第３の情報に従って送信方向設定をセットする。以下、上りリンク参照設定を第１の設定、下りリンク参照設定を第２の設定、送信方向設定を第３の設定とも称する。
【００７０】
上位層処理部１０１が備えるスケジューリング情報解釈部１０１５は、受信部１０５を介して受信したＤＣＩフォーマット（スケジューリング情報）の解釈をし、前記ＤＣＩフォーマットを解釈した結果に基づき、受信部１０５、および送信部１０７の制御を行なうために制御情報を生成し、制御部１０３に出力する。スケジューリング情報解釈部１０１５は、さらに、上りリンク参照設定および／または下りリンク参照設定および／または送信方向設定に基づいて、送信処理および受信処理を行なうタイミングを決定する。
【００７１】
制御部１０３は、上位層処理部１０１からの制御情報に基づいて、受信部１０５、および送信部１０７の制御を行なう制御信号を生成する。制御部１０３は、生成した制御信号を受信部１０５、および送信部１０７に出力して受信部１０５、および送信部１０７の制御を行なう。
【００７２】
受信部１０５は、制御部１０３から入力された制御信号に従って、送受信アンテナ１０９を介して基地局装置３から受信した受信信号を、分離、復調、復号し、復号した情報を上位層処理部１０１に出力する。
【００７３】
無線受信部１０５７は、送受信アンテナ１０９を介して受信した下りリンクの信号を、中間周波数に変換し（ダウンコンバート: down covert）、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。無線受信部１０５７は、変換したディジタル信号からガードインターバル（Guard Interval: GI）に相当する部分を除去し、ガードインターバルを除去した信号に対して高速フーリエ変換（Fast Fourier Transform: FFT）を行ない、周波数領域の信号を抽出する。
【００７４】
多重分離部１０５５は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部１０５５は、チャネル測定部１０５９から入力された伝搬路の推定値から、ＰＨＩＣＨ、ＰＤＣＣＨ、ＥＰＤＣＣＨ、およびＰＤＳＣＨの伝搬路の補償を行なう。また、多重分離部１０５５は、分離した下りリンク参照信号をチャネル測定部１０５９に出力する。
【００７５】
復調部１０５３は、ＰＨＩＣＨに対して対応する符号を乗算して合成し、合成した信号に対してＢＰＳＫ（Binary Phase Shift Keying）変調方式の復調を行ない、復号化部１０５１へ出力する。復号化部１０５１は、自装置宛てのＰＨＩＣＨを復号し、復号したＨＡＲＱインディケータを上位層処理部１０１に出力する。復調部１０５３は、ＰＤＣＣＨおよび／またはＥＰＤＣＣＨに対して、ＱＰＳＫ変調方式の復調を行ない、復号化部１０５１へ出力する。復号化部１０５１は、ＰＤＣＣＨおよび／またはＥＰＤＣＣＨの復号を試み、復号に成功した場合、復号した下りリンク制御情報と下りリンク制御情報が対応するＲＮＴＩとを上位層処理部１０１に出力する。
【００７６】
復調部１０５３は、ＰＤＳＣＨに対して、ＱＰＳＫ（Quadrature Phase Shift Keying）、１６ＱＡＭ（Quadrature Amplitude Modulation）、６４ＱＡＭ等の下りリンクグラントで通知された変調方式の復調を行ない、復号化部１０５１へ出力する。復号化部１０５１は、下りリンク制御情報で通知された符号化率に関する情報に基づいて復号を行ない、復号した下りリンクデータ（トランスポートブロック）を上位層処理部１０１へ出力する。
【００７７】
チャネル測定部１０５９は、多重分離部１０５５から入力された下りリンク参照信号から下りリンクのパスロスやチャネルの状態を測定し、測定したパスロスやチャネルの状態を上位層処理部１０１へ出力する。また、チャネル測定部１０５９は、下りリンク参照信号から下りリンクの伝搬路の推定値を算出し、多重分離部１０５５へ出力する。
【００７８】
送信部１０７は、制御部１０３から入力された制御信号に従って、上りリンク参照信号を生成し、上位層処理部１０１から入力された上りリンクデータ（トランスポートブロック）を符号化および変調し、ＰＵＣＣＨ、ＰＵＳＣＨ、および生成した上りリンク参照信号を多重し、送受信アンテナ１０９を介して基地局装置３に送信する。
【００７９】
符号化部１０７１は、上位層処理部１０１から入力された上りリンク制御情報を畳込み符号化、ブロック符号化等の符号化を行なう。また、符号化部１０７１は、ＰＵＳＣＨのスケジューリングに用いられる情報に基づきターボ符号化を行なう。
【００８０】
変調部１０７３は、符号化部１０７１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。変調部１０７３は、ＰＵＳＣＨのスケジューリングに用いられる情報に基づき、空間多重されるデータの系列の数を決定し、ＭＩＭＯ  ＳＭ（Multiple Input Multiple Output Spatial Multiplexing）を用いることにより同一のＰＵＳＣＨで送信される複数の上りリンクデータを、複数の系列にマッピングし、この系列に対してプレコーディング（precoding）を行なう。
【００８１】
上りリンク参照信号生成部１０７９は、基地局装置３を識別するための物理セル識別子（physical cell identity: PCI、Cell IDなどと称する。）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列を生成する。多重部１０７５は、制御部１０３から入力された制御信号に従って、ＰＵＳＣＨの変調シンボルを並列に並び替えてから離散フーリエ変換（Discrete Fourier Transform: DFT）する。また、多重部１０７５は、ＰＵＣＣＨとＰＵＳＣＨの信号と生成した上りリンク参照信号を送信アンテナポート毎に多重する。つまり、多重部１０７５は、ＰＵＣＣＨとＰＵＳＣＨの信号と生成した上りリンク参照信号を送信アンテナポート毎にリソースエレメントに配置する。
【００８２】
無線送信部１０７７は、多重された信号を逆高速フーリエ変換（Inverse Fast Fourier Transform: IFFT）して、ＳＣ−ＦＤＭＡ方式の変調を行ない、ＳＣ−ＦＤＭＡ変調されたＳＣ−ＦＤＭＡシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ１０９に出力して送信する。
【００８３】
図８は、本実施形態の基地局装置３の構成を示す概略ブロック図である。図示するように、基地局装置３は、上位層処理部３０１、制御部３０３、受信部３０５、送信部３０７、および、送受信アンテナ３０９、を含んで構成される。また、上位層処理部３０１は、無線リソース制御部３０１１、サブフレーム設定部３０１３とスケジューリング部３０１５とを含んで構成される。また、受信部３０５は、復号化部３０５１、復調部３０５３、多重分離部３０５５、無線受信部３０５７とチャネル測定部３０５９を含んで構成される。また、送信部３０７は、符号化部３０７１、変調部３０７３、多重部３０７５、無線送信部３０７７と下りリンク参照信号生成部３０７９を含んで構成される。
【００８４】
上位層処理部３０１は、媒体アクセス制御（MAC: Medium Access Control）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部３０１は、受信部３０５、および送信部３０７の制御を行なうために制御情報を生成し、制御部３０３に出力する。
【００８５】
上位層処理部３０１が備える無線リソース制御部３０１１は、下りリンクのＰＤＳＣＨに配置される下りリンクデータ（トランスポートブロック）、システムインフォメーション、ＲＲＣメッセージ、ＭＡＣ  ＣＥ（Control Element）などを生成し、又は上位ノードから取得し、送信部３０７に出力する。また、無線リソース制御部３０１１は、移動局装置１各々の各種設定情報の管理をする。
【００８６】
上位層処理部３０１が備えるサブフレーム設定部３０１３は、上りリンク参照設定（Uplink reference configuration）、下りリンク参照設定（Downlink reference configuration）、および、送信方向設定（transmission direction configuration）の管理を、移動局装置１のそれぞれに対して行なう。
【００８７】
サブフレーム設定部３０１３は、上りリンク参照設定を示す第１の情報、下りリンク参照設定を示す第２の情報、送信方向設定を示す第３の情報を生成する。サブフレーム設定部３０１３は、送信部３０７を介して、第１の情報、第２の情報、および、第３の情報を、移動局装置１に送信する。
【００８８】
基地局装置３は、移動局装置１に対する、上りリンク参照設定、下りリンク参照設定、および／または、送信方向設定を決定してもよい。また、基地局装置３は、移動局装置１に対する、上りリンク参照設定、下りリンク参照設定、および／または、送信方向設定を上位ノードから指示されてもよい。
【００８９】
例えば、サブフレーム設定部３０１３は、上りリンクのトラフィック量および下りリンクのトラフィック量に基づいて、上りリンク参照設定、下りリンク参照設定、および／または、送信方向設定を決定してもよい。
【００９０】
上位層処理部３０１が備えるスケジューリング部３０１５は、チャネル測定部３０５９から入力された伝搬路の推定値やチャネルの品質などから、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式および送信電力などを決定する。スケジューリング部３０１５は、フレキシブルサブフレームにおいて下りリンク物理チャネルおよび／または下りリンク物理信号をスケジュールするか、上りリンク物理チャネルおよび／または上りリンク物理信号をスケジュールするかを決定する。スケジューリング部３０１５は、スケジューリング結果に基づき、受信部３０５、および送信部３０７の制御を行なうために制御情報（例えば、ＤＣＩフォーマット）を生成し、制御部３０３に出力する。
【００９１】
スケジューリング部３０１５は、スケジューリング結果に基づき、物理チャネル（ＰＤＳＣＨおよびＰＵＳＣＨ）のスケジューリングに用いられる情報を生成する。スケジューリング部３０１５は、さらに、上りリンク参照設定および／または下りリンク参照設定および／または送信方向設定に基づいて、送信処理および受信処理を行なうタイミングを決定する。
【００９２】
制御部３０３は、上位層処理部３０１からの制御情報に基づいて、受信部３０５、および送信部３０７の制御を行なう制御信号を生成する。制御部３０３は、生成した制御信号を受信部３０５、および送信部３０７に出力して受信部３０５、および送信部３０７の制御を行なう。
【００９３】
受信部３０５は、制御部３０３から入力された制御信号に従って、送受信アンテナ３０９を介して移動局装置１から受信した受信信号を分離、復調、復号し、復号した情報を上位層処理部３０１に出力する。無線受信部３０５７は、送受信アンテナ３０９を介して受信された上りリンクの信号を、中間周波数に変換し（ダウンコンバート: down covert）、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００９４】
無線受信部３０５７は、変換したディジタル信号からガードインターバル（Guard Interval: GI）に相当する部分を除去する。無線受信部３０５７は、ガードインターバルを除去した信号に対して高速フーリエ変換（Fast Fourier Transform: FFT）を行ない、周波数領域の信号を抽出し多重分離部３０５５に出力する。
【００９５】
多重分離部１０５５は、無線受信部３０５７から入力された信号をＰＵＣＣＨ、ＰＵＳＣＨ、上りリンク参照信号などの信号に分離する。尚、この分離は、予め基地局装置３が無線リソース制御部３０１１で決定し、各移動局装置１に通知した上りリンクグラントに含まれる無線リソースの割り当て情報に基づいて行なわれる。また、多重分離部３０５５は、チャネル測定部３０５９から入力された伝搬路の推定値から、ＰＵＣＣＨとＰＵＳＣＨの伝搬路の補償を行なう。また、多重分離部３０５５は、分離した上りリンク参照信号をチャネル測定部３０５９に出力する。
【００９６】
復調部３０５３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ（Binary Phase Shift Keying）、ＱＰＳＫ、１６ＱＡＭ、６４ＱＡＭ等の予め定められた、または自装置が移動局装置１各々に上りリンクグラントで予め通知した変調方式を用いて受信信号の復調を行なう。復調部３０５３は、移動局装置１各々に上りリンクグラントで予め通知した空間多重される系列の数と、この系列に対して行なうプリコーディングを指示する情報に基づいて、ＭＩＭＯ  ＳＭを用いることにより同一のＰＵＳＣＨで送信された複数の上りリンクデータの変調シンボルを分離する。
【００９７】
復号化部３０５１は、復調されたＰＵＣＣＨとＰＵＳＣＨの符号化ビットを、予め定められた符号化方式の、予め定められた、又は自装置が移動局装置１に上りリンクグラントで予め通知した符号化率で復号を行ない、復号した上りリンクデータと、上りリンク制御情報を上位層処理部１０１へ出力する。ＰＵＳＣＨが再送信の場合は、復号化部３０５１は、上位層処理部３０１から入力されるＨＡＲＱバッファに保持している符号化ビットと、復調された符号化ビットを用いて復号を行なう。チャネル測定部３０９は、多重分離部３０５５から入力された上りリンク参照信号から伝搬路の推定値、チャネルの品質などを測定し、多重分離部３０５５および上位層処理部３０１に出力する。
【００９８】
送信部３０７は、制御部３０３から入力された制御信号に従って、下りリンク参照信号を生成し、上位層処理部３０１から入力されたＨＡＲＱインディケータ、下りリンク制御情報、下りリンクデータを符号化、および変調し、ＰＨＩＣＨ、ＰＤＣＣＨ、ＥＰＤＣＣＨ、ＰＤＳＣＨ、および下りリンク参照信号を多重して、送受信アンテナ３０９を介して移動局装置１に信号を送信する。
【００９９】
符号化部３０７１は、上位層処理部３０１から入力されたＨＡＲＱインディケータ、下りリンク制御情報、および下りリンクデータを、ブロック符号化、畳込み符号化、ターボ符号化等の予め定められた符号化方式を用いて符号化を行なう、または無線リソース制御部３０１１が決定した符号化方式を用いて符号化を行なう。変調部３０７３は、符号化部３０７１から入力された符号化ビットをＢＰＳＫ、ＱＰＳＫ、１６ＱＡＭ、６４ＱＡＭ等の予め定められた、または無線リソース制御部３０１１が決定した変調方式で変調する。
【０１００】
下りリンク参照信号生成部３０７９は、基地局装置３を識別するための物理セル識別子（ＰＣＩ）などを基に予め定められた規則で求まる、移動局装置１が既知の系列を下りリンク参照信号として生成する。多重部３０７５は、変調された各チャネルの変調シンボルと生成された下りリンク参照信号を多重する。つまり、多重部３０７５は、変調された各チャネルの変調シンボルと生成された下りリンク参照信号をリソースエレメントに配置する。
【０１０１】
無線送信部３０７７は、多重された変調シンボルなどを逆高速フーリエ変換（Inverse Fast Fourier Transform: IFFT）して、ＯＦＤＭ方式の変調を行ない、ＯＦＤＭ変調されたＯＦＤＭシンボルにガードインターバルを付加し、ベースバンドのディジタル信号を生成し、ベースバンドのディジタル信号をアナログ信号に変換し、アナログ信号から中間周波数の同相成分および直交成分を生成し、中間周波数帯域に対する余分な周波数成分を除去し、中間周波数の信号を高周波数の信号に変換（アップコンバート: up convert）し、余分な周波数成分を除去し、電力増幅し、送受信アンテナ３０９に出力して送信する。
【０１０２】
下りリンク参照設定、上りリンク参照設定、および、送信方向設定は、上りリンク‐下りリンク設定（uplink - downlink configuration, UL - DL configuration）によって定義される。uplink - downlink configurationは、無線フレーム内におけるサブフレームのパターンに関する設定である。つまり、下りリンク参照設定、上りリンク参照設定、および、送信方向設定は、無線フレーム内における下りリンクサブフレーム、上りリンクサブフレーム、および、スペシャルサブフレームのパターンによって定義される。
【０１０３】
上りリンク参照設定を、上りリンク参照ＵＬ−ＤＬ設定（uplink reference uplink - downlink configuration）、または、第１のパラメータとも称する。下りリンク参照設定を、下りリンク参照ＵＬ−ＤＬ設定（downlink reference uplink - downlink configuration）、または、第２のパラメータとも称する。送信方向設定を、送信方向ＵＬ−ＤＬ設定（transmission direction uplink - downlink configuration）、または、第３のパラメータとも称する。
【０１０４】
図９は、本実施形態におけるuplink - downlink configurationの一例を示す表である。図９において、Ｄは下りリンクサブフレームを示し、Ｕは上りリンクサブフレームを示し、Ｓはスペシャルサブフレームを示す。
【０１０５】
図９において、無線フレーム内のサブフレーム１は、常にスペシャルサブフレームである。図９において、サブフレーム０と５は常に下りリンク送信のためにリザーブされ、サブフレーム１は常に上りリンク送信のためにリザーブされる。
【０１０６】
図９において、downlink - to - uplink switch - point periodicityが５ｍｓの場合に、無線フレーム内のサブフレーム６はスペシャルサブフレームであり、downlink - to - uplink switch - point periodicityが１０ｍｓの場合に、無線フレーム内のサブフレーム６は下りリンクサブフレームである。
【０１０７】
上りリンク参照設定としてuplink - downlink configuration iがセットされることを、上りリンク参照設定ｉがセットされると称する。下りリンク参照設定としてuplink - downlink configuration iがセットされることを、下りリンク参照設定ｉがセットされると称する。送信方向設定としてuplink - downlink configuration iがセットされることを、送信方向設定ｉがセットされると称する。
【０１０８】
基地局装置３は、上りリンク参照設定を示す第１の情報（TDD-Config）、下りリンク参照設定を示す第２の情報、および、送信方向設定を示す第３の情報は、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の少なくとも１つに含めて送信してもよい。また、基地局装置３は、状況に応じて、第１の情報、第２の情報、および、第３の情報を、ＭＩＢ、システムインフォメーションブロックタイプ１メッセージ、システムインフォメーションメッセージ、ＲＲＣメッセージ、ＭＡＣ  ＣＥ（Control Element）、および、物理層の制御情報（例えば、ＤＣＩフォーマット）の何れかに含めてもよい。
【０１０９】
移動局装置１は、第１の情報、第２の情報、および、第３の情報を受信する。移動局装置１は、受信した第１の情報が示すuplink - downlink configurationを上りリンク参照設定にセットする。移動局装置１は、受信した第２の情報が示すuplink - downlink configurationを下りリンク参照設定にセットする。移動局装置１は、受信した第３の情報が示すuplink - downlink configurationを送信方向設定にセットする。第１の情報を第１のパラメータを示す情報とも称する。第２の情報を第２のパラメータを示す情報とも称する。第３の情報を第３のパラメータを示す情報とも称する。
【０１１０】
尚、２つのセルが設定された移動局装置１は、あるセルに対する第１の情報と、他のセルに対する第１の情報を受信してもよい。また、２つのセルが設定された移動局装置１は、あるセルに対する第１の情報が示すuplink - downlink configuration、および、他のセルに対する第１の情報が示すuplink - downlink configurationに基づいて、あるセルに対する上りリンク参照設定を決定してもよい。
【０１１１】
尚、２つのセルが設定された移動局装置１は、あるセルに対する第２の情報が示すuplink - downlink configuration、および、他のセルに対する第２の情報が示すuplink - downlink configurationに基づいて、あるセルに対する下りリンク参照設定を決定してもよい。
【０１１２】
尚、２つのセルが設定された移動局装置１は、あるセルに対する第１の情報が示すuplink - downlink configuration、および、他のセルに対する第２の情報が示すuplink - downlink configurationに基づいて、あるセルに対する下りリンク参照設定を決定してもよい。
【０１１３】
尚、２つのセルが設定された移動局装置１は、あるセルに対する第２の情報が示すuplink - downlink configuration、および、他のセルに対する第１の情報が示すuplink - downlink configurationに基づいて、あるセルに対する下りリンク参照設定を決定してもよい。
【０１１４】
上りリンク参照設定を示す第１の情報は、システムインフォメーションブロックタイプ１メッセージに含まれることが好ましい。下りリンク参照設定を示す第２の情報は、システムインフォメーションブロックタイプ１メッセージ、システムインフォメーションメッセージ、または、ＲＲＣメッセージに含まれることが好ましい。送信方向設定を示す第３の情報は、ＭＩＢ、ＭＡＣ  ＣＥまたは物理層の制御情報（例えば、ＤＣＩフォーマット）に含まれることが好ましい。
【０１１５】
上りリンク参照設定を示す第１の情報は、セル内の複数の移動局装置１に対して共通であることが好ましい。下りリンク参照設定を示す第２の情報は、セル内の複数の移動局装置１に対して共通であってもよいし、移動局装置１に対して専用であってもよい。送信方向設定を示す第３の情報は、セル内の複数の移動局装置１に対して共通であってもよいし、移動局装置１に対して専用であってもよい。
【０１１６】
下りリンク参照設定を示す第２の情報は、上りリンク参照設定を示す第１の情報とともに送信されてもよい。下りリンク参照設定をセットしていない移動局装置１は、送信方向設定を示す第３の情報を受信しなくてもよい。
【０１１７】
送信方向設定を変更する周期は、下りリンク参照設定を変更する周期よりも短いほうが好ましい。送信方向設定を変更する頻度は、下りリンク参照設定を変更する頻度よりも少ないほうが好ましい。下りリンク参照設定を変更する周期は、上りリンク参照設定を変更する周期よりも短いほうが好ましい。下りリンク参照設定を変更する頻度は、上りリンク参照設定を変更する頻度よりも少ないほうが好ましい。
【０１１８】
システムインフォメーションブロックタイプ１メッセージは、ＳＦＮ ｍｏｄ ２ ＝ ０を満たす無線フレームのサブフレーム５においてＰＤＳＣＨを介して伝送される。システムインフォメーションブロックタイプ１メッセージは、スペシャルサブフレームの構成（ＤｗＰＴＳ、ＧＰ、およびＵｐＰＴＳの長さ）を示す情報を含む。システムインフォメーションブロックタイプ１メッセージは、セル固有の情報である。
【０１１９】
システムインフォメーションメッセージは、ＰＤＳＣＨを介して伝送される。システムインフォメーションメッセージは、セル固有の情報である。システムインフォメーションメッセージは、システムインフォメーションブロックタイプ１以外のシステムインフォメーションブロックを含む。
【０１２０】
ＲＲＣメッセージはＰＤＳＣＨを介して伝送される。ＲＲＣメッセージは、ＲＲＣ層において処理される情報／信号である。ＲＲＣメッセージは、特定の移動局装置１に対して専用であってもよい。
【０１２１】
ＭＡＣ  ＣＥはＰＤＳＣＨを介して送信される。ＭＡＣ  ＣＥは、ＭＡＣ層において処理される情報／信号である。
【０１２２】
移動局装置１は、第１の情報／第２の情報および／または第３の情報を含むＲＲＣメッセージを、ＰＤＳＣＨを介して受信した場合、該ＲＲＣメッセージに対応する「RRC Connection Reconfiguration Complete」メッセージを送信するサブフレーム（タイミング）において上りリンク参照設定／下りリンク参照設定および／または送信方向設定をセットする（有効にする）ことが好ましい。
【０１２３】
移動局装置１は、サブフレームｎ−ｋにおいて第１の情報／第２の情報および／または第３の情報を含むＭＩＢを、ＰＢＣＨを介して受信した場合、サブフレームｎにおいて上りリンク参照設定／下りリンク参照設定および／または送信方向設定をセットする（有効にする）ことが好ましい。例えば、ｋは４である。例えば、ｋは図１３の表および上りリンク参照設定／下りリンク参照設定に基づいて決定される。図１３の説明は後述する。
【０１２４】
移動局装置１は、サブフレームｎ−ｋにおいて第１の情報／第２の情報および／または第３の情報を含むＭＡＣ  ＣＥを、ＰＤＳＣＨを介して受信した場合、サブフレームｎにおいて上りリンク参照設定／下りリンク参照設定および／または送信方向設定をセットする（有効にする）ことが好ましい。例えば、ｋは４である。例えば、サブフレームｎ＋ｋは、該ＭＡＣ  ＣＥの送信に用いられたＰＤＳＣＨに対するＨＡＲＱ−ＡＣＫ（ＡＣＫ）を送信するサブフレームである。例えば、ｋは図１３の表および上りリンク参照設定／下りリンク参照設定に基づいて決定される。
【０１２５】
移動局装置１は、サブフレームｎ−ｋにおいて第１の情報／第２の情報および／または第３の情報を含む物理層の制御情報（例えば、ＤＣＩフォーマット）を、下りリンク物理チャネル（例えば、ＰＤＣＣＨ／ＥＰＤＣＣＨ）を介して受信した場合、サブフレームｎにおいて上りリンク参照設定／下りリンク参照設定および／または送信方向設定をセットする（有効にする）ことが好ましい。例えば、ｋは４である。例えば、サブフレームｎ＋ｋは、該物理層の制御情報（例えば、ＤＣＩフォーマット）の送信に用いられた下りリンク物理チャネル（例えば、ＰＤＣＣＨ／ＥＰＤＣＣＨ）に対するＨＡＲＱ−ＡＣＫ（ＡＣＫ）を送信するサブフレームである。例えば、ｋは図１３の表および上りリンク参照設定／下りリンク参照設定に基づいて決定される。
【０１２６】
以降、別に記載がない限り、上りリンク参照設定および下りリンク参照設定および送信方向設定をセットした移動局装置１のことを、移動局装置１と記載する。
【０１２７】
上りリンク参照設定について詳細に説明する。
【０１２８】
上りリンク参照設定は、ＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を特定（選択、決定）するために用いられる。
【０１２９】
図１０は、本実施形態におけるＰＤＣＣＨ／ＥＰＤＣＣＨ／ＰＨＩＣＨが配置されるサブフレームｎと前記ＰＤＣＣＨ／ＥＰＤＣＣＨ／ＰＨＩＣＨが対応するＰＵＳＣＨが配置されるサブフレームｎ＋ｋとの対応を示す図である。移動局装置１は、図１０の表に従ってｋの値を特定（選択、決定）する。
【０１３０】
上りリンク参照設定１から６をセットしている移動局装置１は、サブフレームｎにおいて移動局装置１を対象とする上りリンクグラントを伴うＰＤＣＣＨ／ＥＰＤＣＣＨの検出した場合に、図１０の表に基づいて特定（選択、決定）されるサブフレームｎ＋ｋにおいて該上りリンクグラントに応じたＰＵＳＣＨ送信を行なう。
【０１３１】
上りリンク参照設定１から６をセットしている移動局装置１は、サブフレームｎにおいて移動局装置１を対象とするＰＨＩＣＨの検出した場合に、図１０の表に基づいて特定（選択、決定）されるサブフレームｎ＋ｋにおいて該ＰＨＩＣＨに応じたＰＵＳＣＨ送信を行なう。
【０１３２】
上りリンク参照設定０が設定された移動局装置１を対象とする上りリンクグラントには、２ビットの上りリンクインデックス（UL index）が含まれる。上りリンク参照設定１から６が設定された移動局装置１を対象とする上りリンクグラントには、上りリンクインデックス（UL index）は含まれない。
【０１３３】
上りリンク参照設定０をセットしている移動局装置１は、サブフレームｎにおいて上りリンクグラントに含まれる上りリンクインデックスのＭＳＢ（Most Significant Bit）が１にセットされている場合には、図１０の表に基づいて特定（選択、決定）されるサブフレームｎ＋ｋにおいて該上りリンクグラントに応じたＰＵＳＣＨ送信を調整する。
【０１３４】
上りリンク参照設定０をセットしている移動局装置１は、サブフレームｎ＝０または５における第１のリソースセットにおいてＰＨＩＣＨを受信した場合には、図１０の表に基づいて特定（選択、決定）されるサブフレームｎ＋ｋにおいて該ＰＨＩＣＨに応じたＰＵＳＣＨ送信を調整する。
【０１３５】
上りリンク参照設定０をセットしている移動局装置１は、サブフレームｎにおいて上りリンクグラントに含まれる上りリンクインデックスのＬＳＢ（Least Significant Bit）が１にセットされている場合には、サブフレームｎ＋７において該上りリンクグラントに応じたＰＵＳＣＨ送信を調整する。
【０１３６】
上りリンク参照設定０をセットしている移動局装置１は、サブフレームｎ＝０または５における第２のリソースセットにおいてＰＨＩＣＨを受信した場合、または、サブフレームｎ＝１または６においてＰＨＩＣＨを受信した場合には、サブフレームｎ＋７において該上りリンクグラントに応じたＰＵＳＣＨ送信を調整する。
【０１３７】
例えば、上りリンク参照設定１がセットされている移動局装置１は、[ＳＦＮ＝ｍ、サブフレーム１]においてＰＤＣＣＨ／ＥＰＤＣＣＨ／ＰＨＩＣＨを検出した場合に、６つ後のサブフレーム[ＳＦＮ＝ｍ、サブフレーム７]においてＰＵＳＣＨの送信を調整する。
【０１３８】
上りリンク参照設定は、ＰＨＩＣＨが配置されるサブフレームｎと前記ＰＨＩＣＨが対応するＰＵＳＣＨが配置されるサブフレームｎ−ｋとの対応を特定（選択、決定）するために用いられる。
【０１３９】
図１１は、本実施形態におけるＰＨＩＣＨが配置されるサブフレームｎと前記ＰＨＩＣＨが対応するＰＵＳＣＨが配置されるサブフレームｎ−ｋとの対応を示す図である。移動局装置１は、図１１の表に従ってｋの値を特定（選択、決定）する。
【０１４０】
移動局装置１が上りリンク参照設定１から６をセットしている場合には、サブフレームｎにおいて移動局装置１に割り当てられたＰＨＩＣＨを介して受信されるＨＡＲＱインディケータ（ＨＡＲＱ−ＡＣＫ）は、図１１の表に基づいて特定されるサブフレームｎ−ｋにおけるＰＵＳＣＨの送信に関連する。
【０１４１】
移動局装置１が上りリンク参照設定０をセットしている場合には、サブフレームｎ＝０または５における第１のリソースセット、または、サブフレームｎ＝１または６において移動局装置１に割り当てられたＰＨＩＣＨを介して受信されるＨＡＲＱインディケータ（ＨＡＲＱ−ＡＣＫ）は、図１１の表に基づいて特定されるサブフレームｎ−ｋにおけるＰＵＳＣＨの送信に関連する。
【０１４２】
移動局装置１が上りリンク参照設定０をセットしている場合には、サブフレームｎ＝０または５における第２のリソースセットにおいて移動局装置１に割り当てられたＰＨＩＣＨを介して受信されるＨＡＲＱインディケータ（ＨＡＲＱ−ＡＣＫ）は、ｎ−６におけるＰＵＳＣＨの送信に関連する。
【０１４３】
例えば、上りリンク参照設定１がセットされている移動局装置１に対して、[ＳＦＮ＝ｍ、サブフレーム１]においてＰＨＩＣＨを介して受信したＨＡＲＱインディケータ（ＨＡＲＱ−ＡＣＫ）は、４つ前のサブフレーム[ＳＦＮ＝ｍ−１、サブフレーム７]におけるＰＵＳＣＨ送信に関連している。
【０１４４】
上りリンク参照設定は、ＰＵＳＣＨが配置されるサブフレームｎと前記ＰＵＳＣＨが対応するＰＨＩＣＨが配置されるサブフレームｎ＋ｋとの対応を特定（選択、決定）するために用いられる。
【０１４５】
図１２は、本実施形態におけるＰＵＳＣＨが配置されるサブフレームｎと前記ＰＵＳＣＨが対応するＰＨＩＣＨが配置されるサブフレームｎ＋ｋとの対応を示す図である。移動局装置１は、図１２の表に従ってｋの値を特定（選択、決定）する。
【０１４６】
移動局装置１は、サブフレームｎにおいてＰＵＳＣＨ送信がスケジュールされた場合には、図１２の表から特定されるサブフレームｎ＋ｋにおいてＰＨＩＣＨリソースを決定する。
【０１４７】
例えば、上りリンク参照設定０がセットされている移動局装置１は、[ＳＦＮ＝ｍ、サブフレームｎ＝２]においてＰＵＳＣＨ送信がスケジュールされた場合には、[ＳＦＮ＝ｍ、サブフレームｎ＝６]においてＰＨＩＣＨリソースを決定する。
【０１４８】
例えば、上りリンク参照設定０がセットされている移動局装置１は、[ＳＦＮ＝ｍ、サブフレームｎ＝３]においてＰＵＳＣＨ送信がスケジュールされた場合には、[ＳＦＮ＝ｍ＋１、サブフレームｎ＝０]における第１のリソースセットの中からＰＨＩＣＨリソースを決定する。
【０１４９】
例えば、上りリンク参照設定０がセットされている移動局装置１は、[ＳＦＮ＝ｍ、サブフレームｎ＝４]においてＰＵＳＣＨ送信がスケジュールされた場合には、[ＳＦＮ＝ｍ＋１、サブフレームｎ＝０]における第２のリソースセットの中からＰＨＩＣＨリソースを決定する。
【０１５０】
例えば、上りリンク参照設定０がセットされている移動局装置１は、[ＳＦＮ＝ｍ、サブフレームｎ＝７]においてＰＵＳＣＨ送信がスケジュールされた場合には、[ＳＦＮ＝ｍ＋１、サブフレームｎ＝１]においてＰＨＩＣＨリソースを決定する。
【０１５１】
例えば、上りリンク参照設定０がセットされている移動局装置１は、[ＳＦＮ＝ｍ、サブフレームｎ＝８]においてＰＵＳＣＨ送信がスケジュールされた場合には、[ＳＦＮ＝ｍ＋１、サブフレームｎ＝５]における第１のリソースセットの中からＰＨＩＣＨリソースを決定する。
【０１５２】
例えば、上りリンク参照設定０がセットされている移動局装置１は、[ＳＦＮ＝ｍ、サブフレームｎ＝９]においてＰＵＳＣＨ送信がスケジュールされた場合には、[ＳＦＮ＝ｍ＋１、サブフレームｎ＝５]における第２のリソースセットの中からＰＨＩＣＨリソースを決定する。
【０１５３】
下りリンク参照設定について詳細に説明する。
【０１５４】
下りリンク参照設定は、ＰＤＳＣＨが配置されるサブフレームｎと前記ＰＤＳＣＨに対応するＨＡＲＱ−ＡＣＫが送信されるサブフレームｎ＋ｋとの対応を特定（選択、決定）するために用いられる。
【０１５５】
図１３は、本実施形態におけるＰＤＳＣＨが配置されるサブフレームｎ−ｋと前記ＰＤＳＣＨが対応するＨＡＲＱ−ＡＣＫが送信されるサブフレームｎとの対応を示す図である。移動局装置１は、図１３の表に従ってｋの値を特定（選択、決定）する。
【０１５６】
移動局装置１は、サブフレームｎ−ｋ（ｋは図１３の表によって特定される）において、移動局装置１を対象としており、対応するＨＡＲＱ−ＡＣＫの送信を行なうべきＰＤＳＣＨ送信を検出した場合には、サブフレームｎにおいてＨＡＲＱ−ＡＣＫを送信する。
【０１５７】
例えば、移動局装置１は、システムインフォメーションの送信に用いられるＰＤＳＣＨ送信に対するＨＡＲＱ−ＡＣＫの応答を行なわない。例えば、移動局装置１は、Ｃ−ＲＮＴＩでスクランブルされたＣＲＣをともなうＤＣＩフォーマットによってスケジュールされたＰＤＳＣＨ送信に対するＨＡＲＱ−ＡＣＫの応答を行なう。
【０１５８】
例えば、上りリンク参照設定１がセットされている移動局装置１は、サブフレームｎ＝２において、サブフレームｎ−６および／またはｎ−７において受信した、ＰＤＳＣＨの送信に対するＨＡＲＱ−ＡＣＫの送信を行なう。
【０１５９】
尚、上りリンク参照設定がセットされており、下りリンク参照設定がセットされていない移動局装置１は、上りリンク参照設定に従ってＰＤＳＣＨが配置されるサブフレームｎ−ｋと前記ＰＤＳＣＨが対応するＨＡＲＱ−ＡＣＫが送信されるサブフレームｎとの対応を特定（選択、決定）してもよい。
【０１６０】
尚、上りリンク参照設定がセットされており、下りリンク参照設定がセットされていない移動局装置１は、上りリンク参照設定に従って下りリンクの受信および上りリンクの送信を行なうタイミング（サブフレーム）を決定してもよい。下りリンク参照設定がセットされていない移動局装置１は、送信方向設定を示す第３の情報を無視してもよい。
【０１６１】
尚、第１の情報を受信し、第２の情報を受信していない移動局装置１は、第１の情報に基づいて下りリンク参照設定をセットしてもよい。第１の情報に基づいて下りリンク参照設定をセットしている移動局装置１は、送信方向設定を示す第３の情報を無視してもよい。
【０１６２】
第１の情報に基づいて上りリンク参照設定および下りリンク参照設定をセットしている移動局装置１を、ダイナミックＴＤＤが設定されていない移動局装置１とも称する。第２の情報に基づいて下りリンク参照設定をセットしている移動局装置１を、ダイナミックＴＤＤが設定されている移動局装置１とも称する。
【０１６３】
第１の情報に基づいて下りリンク参照設定をセットしている移動局装置１は、上りリンク参照設定によって指示された下りリンクサブフレームまたはスペシャルサブフレームのＤｗＰＴＳにおいて下りリンクの信号を用いた測定（例えば、チャネル状態情報に関する測定）を行なってもよい。
【０１６４】
従って、ダイナミックＴＤＤにおいて、基地局装置３が、上りリンク参照設定によって下りリンクサブフレームと指示されたサブフレームをスペシャルサブフレームまたは上りリンクサブフレームとして使用する、または、上りリンク参照設定によってスペシャルサブフレームと指示されたサブフレームを上りリンクサブフレームとして使用すると、第１の情報に基づいて下りリンク参照設定をセットしている移動局装置１が下りリンクの信号を用いた測定を適切に行なうことができなくなるという問題がある。
【０１６５】
ゆえに、基地局装置３は、上りリンク参照設定に基づいて限定される設定セット（セットの設定）の中から下りリンク参照設定を決定する。つまり、下りリンク参照設定は、上りリンク参照設定に基づいて限定される設定セットにおける要素である。上りリンク参照設定に基づいて限定される設定セットは、以下の条件（ａ）から（ｃ）を満たすuplink - downlink configurationを含む。図１４は、本発明の第１の実施形態における上りリンク参照設定によって指示されるサブフレームと下りリンク参照設定によって指示されるサブフレームの関係を示す図である。図１４において、Ｄは下りリンクサブフレームを示し、Ｕは上りリンクサブフレームを示し、Ｓはスペシャルサブフレームを示す。
（ａ）上りリンク参照設定によって下りリンクサブフレームとして指示されるサブフレームを下りリンクサブフレームとして指示している
（ｂ）上りリンク参照設定によって上りリンクサブフレームとして指示されるサブフレームを上りリンクサブフレームまたは下りリンクサブフレームとして指示している
（ｃ）上りリンク参照設定によってスペシャルサブフレームとして指示されるサブフレームを下りリンクサブフレームまたはスペシャルサブフレームとして指示している
【０１６６】
これにより、ダイナミックＴＤＤにおいて、上りリンク参照設定によって下りリンクサブフレームと指示されたサブフレーム、および、スペシャルサブフレームのＤｗＰＴＳが上りリンクの送信のために利用されることはなくなるため、第１の情報に基づいて下りリンク参照設定をセットしている移動局装置１が下りリンクの信号を用いた測定を適切に行なうことができるようになる。
【０１６７】
尚、第２の情報に基づいて下りリンク参照設定をセットしている移動局装置１も、上りリンク参照設定によって指示された下りリンクサブフレームまたはスペシャルサブフレームのＤｗＰＴＳにおいて下りリンクの信号を用いた測定（例えば、チャネル状態情報に関する測定）を行なってもよい。
【０１６８】
基地局装置３は、上りリンク参照設定および下りリンク参照設定によって下りリンクサブフレームとして指示されたサブフレームにおいて、下りリンクの送信のスケジューリングを行なってもよい。
【０１６９】
基地局装置３は、上りリンク参照設定および下りリンク参照設定によって上りリンクサブフレームとして指示されたサブフレームにおいて、上りリンクの送信のスケジューリングを行なってもよい。
【０１７０】
基地局装置３は、上りリンク参照設定によって上りリンクサブフレームとして指示され、下りリンク参照設定によって下りリンクサブフレームとして指示されたサブフレームにおいて、上りリンクの送信または下りリンクの送信のスケジューリングを行なってもよい。
【０１７１】
つまり、基地局装置３は、上りリンク参照設定によって上りリンクサブフレームとして指示され、下りリンク参照設定によって下りリンクサブフレームとして指示されたサブフレームを上りリンクサブフレームまたは下りリンクサブフレームとして利用してもよい。
【０１７２】
基地局装置３は、上りリンク参照設定および下りリンク参照設定によってスペシャルサブフレームとして指示されたサブフレームのＤｗＰＴＳにおいて、下りリンクの送信のスケジューリングを行なってもよい。
【０１７３】
基地局装置３は、上りリンク参照設定および下りリンク参照設定によってスペシャルサブフレームとして指示されたサブフレームのＵｐＰＴＳにおいて、上りリンクの送信のスケジューリングを行なってもよい。
【０１７４】
基地局装置３は、上りリンク参照設定によってスペシャルサブフレームとして指示され、下りリンク参照設定によって下りリンクサブフレームとして指示されたサブフレームのＤｗＰＴＳにおいて、下りリンクの送信のスケジューリングを行なってもよい。
【０１７５】
基地局装置３は、上りリンク参照設定によってスペシャルサブフレームとして指示され、下りリンク参照設定によって下りリンクサブフレームとして指示されたサブフレームのＵｐＰＴＳにおいて、上りリンクの送信のスケジューリングを行なってもよい。
【０１７６】
基地局装置３は、上りリンク参照設定によってスペシャルサブフレームとして指示され、下りリンク参照設定によって下りリンクサブフレームとして指示されたサブフレームにおいて、下りリンクの送信のスケジューリングを行なってもよい。
【０１７７】
つまり、基地局装置３は、上りリンク参照設定によってスペシャルサブフレームとして指示され、下りリンク参照設定によって下りリンクサブフレームとして指示されたサブフレームを下りリンクサブフレームとして利用してもよい。
【０１７８】
上りリンク参照設定によって上りリンクサブフレームとして指示され、下りリンク参照設定によって下りリンクサブフレームとして指示されたサブフレーム、および、上りリンク参照設定によってスペシャルサブフレームとして指示され、下りリンク参照設定によって下りリンクサブフレームとして指示されたサブフレームを、フレキシブルサブフレームとも称する。
【０１７９】
送信方向設定について詳細に説明する。
【０１８０】
移動局装置１が上りリンク参照設定、下りリンク参照設定、スケジューリング情報（ＤＣＩフォーマットおよび／またはＨＡＲＱ−ＡＣＫ）に基づいて送信の方向（上り／下り）を決定してしまうと、基地局装置３が他の移動局装置１に対する下りリンクの信号を送信するサブフレームにおいて、スケジューリング情報（ＤＣＩフォーマットおよび／またはＨＡＲＱ−ＡＣＫ）を誤って受信／復号してしまった移動局装置１が上りリンクの信号を送信してしまい、該上りリンクの信号が該下りリンクの信号への干渉となってしまうという問題がある。
【０１８１】
そこで、本発明の移動局装置１は、サブフレームにおける送信の方向（上り／下り）に関する送信方向設定をセットする。送信方向設定は、サブフレームにおける送信の方向を決定するために用いられる。
【０１８２】
基地局装置３は、送信方向設定を示す第３の情報を、移動局装置１に送信する。第３の情報は上りリンク送信が可能なサブフレームを指示する情報である。第３の情報は下りリンク送信が可能なサブフレームを指示する情報である。第３の情報はＵｐＰＴＳにおける上りリンク送信およびＤｗＰＴＳにおける下りリンク送信が可能なサブフレームを指示する情報である。
【０１８３】
例えば、送信方向設定は、上りリンク参照設定によって上りリンクサブフレームとして指示され、下りリンク参照設定によって下りリンクサブフレームとして指示されたサブフレーム、および／または、上りリンク参照設定によってスペシャルサブフレームとして指示され、下りリンク参照設定によって下りリンクサブフレームとして指示されたサブフレームにおける、送信の方向を特定するために用いられる。つまり、送信方向設定は、上りリンク参照設定と下りリンク参照設定とで異なる種類のサブフレームが指示されているサブフレームにおける、送信の方向を特定するために用いられる。
【０１８４】
図１５は、本発明の第１の実施形態における上りリンク参照設定によって指示されるサブフレームと下りリンク参照設定によって指示されるサブフレームと送信方向設定によって指示されるサブフレームの関係を示す図である。図１５において、Ｄは下りリンクサブフレームを示し、Ｕは上りリンクサブフレームを示し、Ｓはスペシャルサブフレームを示す。
【０１８５】
基地局装置３は、上りリンク参照設定および下りリンク参照設定に基づいて限定される設定セット（セットの設定）の中から送信方向設定を決定する。つまり、送信方向設定は、上りリンク参照設定および下りリンク参照設定に基づいて限定される設定セットにおける要素である。上りリンク参照設定および下りリンク参照設定に基づいて限定される設定セットは、以下の条件（ｄ）から（ｈ）を満たすuplink - downlink configurationを含む。
（ｄ）上りリンク参照設定および下りリンク参照設定によって下りリンクサブフレームとして指示されるサブフレームを下りリンクサブフレームとして指示している
（ｅ）上りリンク参照設定および下りリンク参照設定によって上りリンクサブフレームとして指示されるサブフレームを上りリンクサブフレームとして指示している
（ｆ）上りリンク参照設定によって上りリンクサブフレームとして指示されるが、下りリンク参照設定によって下りリンクサブフレームとして指示されるサブフレームを、上りリンクサブフレームまたは下りリンクサブフレームとして指示している
（ｇ）上りリンク参照設定および下りリンク参照設定によってスペシャルサブフレームとして指示されるサブフレームをスペシャルサブフレームとして指示している
（ｈ）上りリンク参照設定によってスペシャルサブフレームとして指示されるが、下りリンク参照設定によって下りリンクサブフレームとして指示されるサブフレームを、スペシャルサブフレームまたは下りリンクサブフレームとして指示している
【０１８６】
基地局装置３は、送信方向設定によって下りリンクサブフレームとして指示されたサブフレームにおいて、下りリンクの送信のスケジューリングを行なってもよい。
【０１８７】
移動局装置１は、送信方向設定によって下りリンクサブフレームとして指示されたサブフレームにおいて、下りリンク信号の受信処理を行なってもよい。移動局装置１は、送信方向設定によって下りリンクサブフレームとして指示されたサブフレームにおいて、ＰＤＣＣＨ／ＥＰＤＣＣＨのモニタを行なってもよい。移動局装置１は、送信方向設定によって下りリンクサブフレームとして指示されたサブフレームにおいてＰＤＣＣＨ／ＥＰＤＣＣＨを介して下りリンクグラントを検出した場合に、該サブフレームにおいて該下りリンクグラントに対応するＰＤＳＣＨの受信処理を行なってもよい。
【０１８８】
移動局装置１は、送信方向設定によって下りリンクサブフレームとして指示されたサブフレームにおける上りリンク信号（ＰＵＳＣＨ／ＳＲＳ）の送信が、ＰＤＣＣＨ／ＥＰＤＣＣＨを介して受信した下りリンク制御情報によってスケジュールされた場合に、該サブフレームにおいて上りリンク信号（ＰＵＳＣＨ／ＳＲＳ）の送信処理を行わない。
【０１８９】
基地局装置３は、送信方向設定によって上りリンクサブフレームとして指示されたサブフレームにおいて、上りリンクの送信のスケジューリングを行なってもよい。
【０１９０】
基地局装置３は、送信方向設定によって上りリンクサブフレームとして指示されたサブフレームにおいて、下りリンクの送信のスケジューリングを行なってもよい。送信方向設定によって上りリンクサブフレームとして指示されたサブフレームにおいて、基地局装置３による下りリンクの送信のスケジューリングを禁止してもよい。
【０１９１】
移動局装置１は、送信方向設定によって上りリンクサブフレームとして指示されたサブフレームにおいて、上りリンク信号の送信処理を行なってもよい。移動局装置１は、送信方向設定によって上りリンクサブフレームとして指示されたサブフレームにおいて、ＰＵＳＣＨ／ＤＭＲＳ／ＳＲＳの送信処理を行なってもよい。移動局装置１は、送信方向設定によって上りリンクサブフレームとして指示されたサブフレームにおける上りリンク信号（ＰＵＳＣＨ／ＳＲＳ）の送信が、ＰＤＣＣＨ／ＥＰＤＣＣＨを介して受信した下りリンク制御情報によってスケジュールされた場合に、該サブフレームにおいて上りリンク信号（ＰＵＳＣＨ／ＳＲＳ）の送信処理を行なってもよい。
【０１９２】
移動局装置１は、送信方向設定によって上りリンクサブフレームとして指示され、上りリンクの送信がスケジュールされていないサブフレームにおいて、下りリンク信号の受信処理を行なってもよい。送信方向設定によって上りリンクサブフレームとして指示されたサブフレームにおいて、移動局装置１による下りリンク信号の受信処理を禁止してもよい。
【０１９３】
基地局装置３は、送信方向設定によってスペシャルサブフレームとして指示されたサブフレームのＤｗＰＴＳにおいて、下りリンクの送信のスケジューリングを行なってもよい。
【０１９４】
移動局装置１は、送信方向設定によってスペシャルサブフレームとして指示されたサブフレームのＤｗＰＴＳにおいて、下りリンク信号の受信処理を行なってもよい。移動局装置１は、送信方向設定によってスペシャルサブフレームとして指示されたサブフレームのＤｗＰＴＳにおいて、ＰＤＣＣＨ／ＥＰＤＣＣＨのモニタを行なってもよい。移動局装置１は、送信方向設定によってスペシャルサブフレームとして指示されたサブフレームのＤｗＰＴＳにおいてＰＤＣＣＨ／ＥＰＤＣＣＨを介して下りリンクグラントを検出した場合に、該サブフレームのＤｗＰＴＳにおいて該下りリンクグラントに対応するＰＤＳＣＨの受信処理を行なってもよい。
【０１９５】
移動局装置１は、送信方向設定によってスペシャルサブフレームとして指示されたサブフレームにおけるＰＵＳＣＨの送信が、ＰＤＣＣＨ／ＥＰＤＣＣＨを介して受信した下りリンク制御情報によってスケジュールされた場合に、該サブフレームにおいてＰＵＳＣＨの送信処理を行わない。
【０１９６】
移動局装置１は、送信方向設定によってスペシャルサブフレームとして指示されたサブフレームのＵｐＰＴＳにおけるＳＲＳの送信が、ＰＤＣＣＨ／ＥＰＤＣＣＨを介して受信した下りリンク制御情報によってスケジュールされた場合に、該サブフレームのＵｐＰＴＳにおいてＳＲＳの送信処理を行なってもよい。
【０１９７】
図１６は、本発明の第１の実施形態における上りリンク参照設定と下りリンク参照設定と送信方向設定の関係を示す図である。
【０１９８】
図１６において、上りリンク参照設定のuplink - downlink configurationが０である場合、下りリンク参照設定はuplink - downlink configuration のセット｛１、２、３、４、５、６｝のうちの１つである。
【０１９９】
図１６において、上りリンク参照設定のuplink - downlink configurationが１である場合、下りリンク参照設定はuplink - downlink configuration のセット｛２、４、５｝のうちの１つである。
【０２００】
図１６において、上りリンク参照設定のuplink - downlink configurationが２である場合、下りリンク参照設定はuplink - downlink configuration のセット｛５｝のうちの１つである。つまり、上りリンク参照設定のuplink - downlink configurationが２である場合、下りリンク参照設定はuplink - downlink configuration ５である。
【０２０１】
図１６において、上りリンク参照設定のuplink - downlink configurationが３である場合、下りリンク参照設定はuplink - downlink configuration のセット｛４、５｝のうちの１つである。
【０２０２】
図１６において、上りリンク参照設定のuplink - downlink configurationが４である場合、下りリンク参照設定はuplink - downlink configuration のセット｛５｝のうちの１つである。つまり、上りリンク参照設定のuplink - downlink configurationが４である場合、下りリンク参照設定はuplink - downlink configuration ５である。
【０２０３】
図１６において、上りリンク参照設定のuplink - downlink configurationが５である場合、下りリンク参照設定および送信方向設定はセットされない。
【０２０４】
図１６において、上りリンク参照設定のuplink - downlink configurationが０である場合、下りリンク参照設定はuplink - downlink configuration のセット｛１、２、３、４、５｝のうちの１つである。
【０２０５】
例えば、図１６において、上りリンク参照設定のuplink - downlink configurationが０であり、下りリンク参照設定のuplink - downlink configurationが１である場合、送信方向設定はuplink - downlink configuration のセット｛０、１、６｝のうちの１つである。
【０２０６】
尚、下りリンク参照設定のuplink - downlink configurationは、上りリンク参照設定のuplink - downlink configurationと同じでもよい。しかし、第２の情報を受信していない移動局装置１は、上りリンク参照設定のuplink - downlink configurationと同じuplink - downlink configurationを下りリンク参照設定としてセットするため、第２の情報が示す下りリンク参照設定のuplink - downlink configurationは、第１の情報が示す上りリンク参照設定のuplink - downlink configurationと同じではないほうが好ましい。
【０２０７】
図１７は、本発明の第１の実施形態における基地局装置３と移動局装置１（１A、１B）との通信の一例を示す図である。図１７において、移動局装置１Ａと移動局装置１Ｂのそれぞれに対して、上りリンク参照設定０、下りリンク参照設定１、および、送信方向設定６がセットされている。図１７において、移動局装置１ＡはＡＣＫの復号に成功しているが、移動局装置１ＢはＡＣＫをＮＡＣＫとして検出している。
【０２０８】
基地局装置３は、移動局装置１Ａと移動局装置１Ｂのそれぞれに対して、[ＳＦＮ＝ｍ、サブフレームｎ＝１]においてＰＤＣＣＨ／ＥＰＤＣＣＨを介して上りリンクグラントを送信する。
【０２０９】
移動局装置１Ａと移動局装置１Ｂのそれぞれは、[ＳＦＮ＝ｍ、サブフレームｎ＝８]において該上りリンクグラントに対応するＰＵＳＣＨを介してデータを送信する。
【０２１０】
基地局装置３は、[ＳＦＮ＝ｍ＋１、サブフレームｎ＝５]において移動局装置１Ａと移動局装置１Ｂのそれぞれに対してＡＣＫを示すＨＡＲＱインディケータを送信する。
【０２１１】
また、基地局装置３は、移動局装置１Ａと移動局装置１Ｂのそれぞれに対して、[ＳＦＮ＝ｍ＋１、サブフレームｎ＝９]において移動局装置１Ａと移動局装置１Ｂのそれぞれに対して、ＰＤＣＣＨ／ＥＰＤＣＣＨを介して下りリンクグラントを送信し、該ＰＤＣＣＨ／ＥＰＤＣＣＨに対応するＰＤＳＣＨを介してデータを送信する。
【０２１２】
ＡＣＫの復号に成功した移動局装置１Ａは、[ＳＦＮ＝ｍ＋１、サブフレームｎ＝９]においてＰＵＳＣＨを介してデータの再送信を行なわず、ＰＤＣＣＨ／ＥＰＤＣＣＨのモニタを行なう。
【０２１３】
ＡＣＫの復号に成功した移動局装置１Ｂは、[ＳＦＮ＝ｍ＋１、サブフレームｎ＝９]においてＰＵＳＣＨを介してデータの再送信を行なわず、ＰＤＣＣＨ／ＥＰＤＣＣＨのモニタを行なう。
【０２１４】
ＡＣＫをＮＡＣＫとして復号した移動局装置１Ｂは、[ＳＦＮ＝ｍ＋１、サブフレームｎ＝９]においてＰＵＳＣＨを介したデータの再送信がスケジュールされたとみなすが、送信方向設定によって[ＳＦＮ＝ｍ＋１、サブフレームｎ＝９]が下りリンクサブフレームとして指示されているため、ＰＵＳＣＨを介したデータの再送信を行なわない。また、移動局装置１Ｂは、[ＳＦＮ＝ｍ＋１、サブフレームｎ＝９]においてＰＤＣＣＨ／ＥＰＤＣＣＨのモニタを行なう。
【０２１５】
基地局装置３は、[ＳＦＮ＝ｍ＋１、サブフレームｎ＝９]において下りリンク信号の送信を行なうために、[ＳＦＮ＝ｍ、サブフレームｎ＝８]においてＰＵＳＣＨを介して受信したデータの復号に失敗していたとしても、[ＳＦＮ＝ｍ＋１、サブフレームｎ＝５]において移動局装置１Ａと移動局装置１Ｂのそれぞれに対してＡＣＫを示すＨＡＲＱインディケータを送信してもよい。
【０２１６】
第１の実施形態の基地局装置３は、上りリンク参照設定（第１の設定）に基づいて限定される設定セットの中から下りリンク参照設定（第２の設定）を決定し、前記上りリンク参照設定（第１の設定）および前記下りリンク参照設定（第２の設定）に基づいて限定される設定セットの中から送信方向設定（第３の設定）を決定するサブフレーム設定部３０１３と、上りリンク参照設定（第１の設定）を示す第１の情報、下りリンク参照設定（第２の設定）を示す第２の情報、および、送信方向設定（第３の設定）を示す第３の情報を送信する送信部３０７と、を備える。
【０２１７】
第１の実施形態の移動局装置１は、上りリンク参照設定（第１の設定）を示す第１の情報、下りリンク参照設定（第２の設定）を示す第２の情報、および、送信方向設定（第３の設定）を示す第３の情報を受信する受信部１０５と、上りリンク参照設定（第１の設定）、下りリンク参照設定（第２の設定）、および、送信方向設定（第３の設定）をセットするサブフレーム設定部１０１３と、を備える。
【０２１８】
このように、送信方向設定を用いることによって、移動局装置１Ｂが[ＳＦＮ＝ｍ＋１、サブフレームｎ＝９]においてＰＵＳＣＨの誤送信を行なうことを防ぐことができ、移動局装置１Ｂが送信したＰＵＳＣＨが移動局装置１Ａへの干渉となることを避けることができ、また、移動局装置１ＢがＰＤＣＣＨ／ＥＰＤＣＣＨのモニタを正しく行なうことができる。
【０２１９】
また、送信方向設定をuplink - downlink configurationによって定義することにより、サブフレーム毎に送信方向を指示する方法と比較して効率的に送信方向を設定することができる。
【０２２０】
以下、本発明の第２の実施形態について説明する。
【０２２１】
以下、別に記載がない限り、第１の実施形態で記載した内容は、第２の実施形態においても適用することが可能である。以下、別に記載がない限り、第２の実施形態の移動局装置１は第１の実施形態の移動局装置１と同様の処理を行なうことができ、第２の実施形態の基地局装置３は第１の実施形態の基地局装置３と同様の処理を行なうことができる。
【０２２２】
第２の実施形態は、前記上りリンク参照設定（第１の設定）および前記下りリンク参照設定（第２の設定）に基づいて限定される設定セットとして、上りリンク参照設定（第１の設定）のuplink - downlink configurationおよび下りリンク参照設定（第２の設定）のuplink - downlink configurationから構成される設定セット（セットの設定）を用いる。
【０２２３】
図１８は、本発明の第２の実施形態における上りリンク参照設定と下りリンク参照設定と送信方向設定の関係を示す図である。
【０２２４】
例えば、図１８において、上りリンク参照設定のuplink - downlink configurationが０であり、下りリンク参照設定のuplink - downlink configurationが１である場合、送信方向設定はuplink - downlink configuration のセット｛０、１｝のうちの１つである。
【０２２５】
第２の実施形態の基地局装置３のサブフレーム設定部３０１３は、上りリンク参照設定（第１の設定）のuplink - downlink configurationおよび下りリンク参照設定（第２の設定）のuplink - downlink configurationから構成される設定セット（セットの設定）の中から送信方向設定（第３の設定）を決定する。第２の実施形態の基地局装置３のサブフレーム設定部３０１３は、送信方向が上りリンク参照設定と下りリンク参照設定のどちらに従うかを決定する。第２の実施形態の基地局装置３の送信部３０７は、第３の情報の代わりに、送信方向が上りリンク参照設定と下りリンク参照設定のどちらに従うかを指示する第４の情報を送信する。
【０２２６】
第２の実施形態の移動局装置１の受信部１０５は、第３の情報の代わりに、第４の情報を受信する。第２の実施形態の移動局装置１のサブフレーム設定部１０１３は、第４の情報に基づいて送信方向が上りリンク参照設定と下りリンク参照設定のどちらに従うかをセットする。第２の実施形態の移動局装置１のサブフレーム設定部１０１３は、受信した第４の情報に基づいて第３の設定をセットする。
【０２２７】
第４の情報は、上りリンク参照設定のuplink - downlink configurationおよび下りリンク参照設定のuplink - downlink configurationから構成される設定セット（セットの設定）の中から送信方向設定（第３の設定）を示す情報でもよい。第４の情報は１ビットであることが好ましい。
【０２２８】
第４の情報は、上りリンク参照設定と下りリンク参照設定のどちらに基づいて上りリンク信号（例えば、ＰＵＳＣＨおよび／またはＳＲＳ）の送信が可能なサブフレームが特定されるべきかを示す。移動局装置１のサブフレーム設定部１０１３は、第４の情報によって示された上りリンク参照設定または下りリンク参照設定に基づいて、上りリンクの送信が可能なサブフレームを特定する。
【０２２９】
第４の情報は、上りリンク参照設定と下りリンク参照設定のどちらに基づいて下りリンク信号をモニタするサブフレームが特定されるべきかを示す。移動局装置１のサブフレーム設定部１０１３は、第４の情報によって示された上りリンク参照設定または下りリンク参照設定に基づいて、下りリンク信号をモニタするサブフレームを特定する。
【０２３０】
移動局装置１は、第４の情報によって示された上りリンク参照設定または下りリンク参照設定に基づいて上りリンクの送信が不可能であるとみなしたサブフレームにおいて、上りリンクの送信をスケジュール／設定された場合、該サブフレームにおいて上りリンクの送信処理を行なわない。
【０２３１】
移動局装置１は、第４の情報によって示された上りリンク参照設定または下りリンク参照設定に基づいてＰＵＳＣＨの送信が不可能であるとみなしたサブフレームにおいて、ＰＵＳＣＨをスケジュールされた場合、該サブフレームにおいてＰＵＳＣＨの送信を行なわない。
【０２３２】
移動局装置１は、第４の情報によって示された上りリンク参照設定または下りリンク参照設定に基づいてＳＲＳの送信が不可能であるとみなしたサブフレームにおいて、ＳＲＳをスケジュールされた場合、該サブフレームにおいてＳＲＳの送信を行なわない。
【０２３３】
このように、上りリンク参照設定のuplink - downlink configurationおよび下りリンク参照設定のuplink - downlink configurationから構成される設定セット（セットの設定）の中から送信方向設定を決定することにより、第１の実施形態の第３の情報と比較して第４の情報のビット数を、更に減らすことができる。
【０２３４】
以下、本発明の第３の実施形態について説明する。
【０２３５】
以下、別に記載がない限り、第１または第２の実施形態で記載した内容は、第３の実施形態においても適用することが可能である。以下、別に記載がない限り、第３の実施形態の移動局装置１は第１または第２の実施形態の移動局装置１と同様の処理を行なうことができ、第３の実施形態の基地局装置３は第１または第２の実施形態の基地局装置３と同様の処理を行なうことができる。
【０２３６】
第１および第２の移動局装置１と同様に、第３の実施形態の移動局装置１は、送信方向設定に基づいて、送信の方向（上り／下り）を特定（選択、決定）する。第３の実施形態において、移動局装置１は、更に、送信方向設定をセットしていない期間の送信の方向（上り／下り）を特定（選択、決定）する。
【０２３７】
移動局装置１は、上りリンク参照設定、下りリンク参照設定、および、送信方向設定がセットされている場合、送信方向設定に基づいて送信の方向（上り／下り）を特定（選択、決定）する。
【０２３８】
移動局装置１は、上りリンク参照設定がセットされており、下りリンク参照設定および送信方向設定がセットされていない場合、上りリンク参照設定に基づいて送信の方向（上り／下り）を特定（選択、決定）する。
【０２３９】
移動局装置１は、上りリンク参照設定および下りリンク参照設定がセットされており、送信方向設定がセットされていない場合、下りリンク参照設定に基づいて送信の方向（上り／下り）を特定（選択、決定）する。つまり、移動局装置１は、上りリンク参照設定および下りリンク参照設定がセットされており、送信方向設定を指示されていない場合、下りリンク参照設定のuplink - downlink configurationをデフォルトとして送信方向設定にセットする。
【０２４０】
上りリンク参照設定、下りリンク参照設定、および、送信方向設定がセットされている移動局装置１は、下りリンク参照設定を再設定した場合に、送信方向設定をクリア（clear）／破棄（discard）してもよい。尚、上りリンク参照設定、下りリンク参照設定、および、送信方向設定がセットされている移動局装置１は、再設定した下りリンク参照設定が前の下りリンク参照設定と同じ場合に、送信方向設定をクリア（clear）／破棄（discard）しなくてもよい。つまり、上りリンク参照設定、下りリンク参照設定、および、送信方向設定がセットされている移動局装置１は、下りリンク参照設定が変更された場合に、送信方向設定をクリア（clear）／破棄（discard）してもよい。
【０２４１】
第３の実施形態の移動局装置１のサブフレーム設定部１０１３は、送信方向設定がセットされていない期間／場合に、下りリンク参照設定に基づいて送信の方向（上り／下り）を特定（選択、決定）する。また、第３の実施形態の移動局装置１のサブフレーム設定部１０１３は、下りリンク参照設定が再設定／変更された場合に、送信方向設定をクリア（clear）／破棄（discard）してもよい。
【０２４２】
第３の実施形態の移動局装置３のサブフレーム設定部３０１３は、移動局装置１に下りリンク参照設定が再設定／変更を指示した場合に、移動局装置１の送信方向設定がクリア（clear）／破棄（discard）されるとみなしてもよい。
【０２４３】
図１９は、本発明の第３の実施形態の一例を示すシーケンス図である。
【０２４４】
Ｔ１９００において基地局装置３は第１の情報を送信する。Ｔ１９０２において移動局装置１は該第１の情報に基づいて上りリンク参照設定をセットする。Ｔ１９０４において基地局装置３は第２の情報を送信する。Ｔ１９０６において移動局装置１は該第２の情報に基づいて下りリンク参照設定をセットする。Ｔ１９０８において基地局装置３は第３の情報または第４の情報を送信する。Ｔ１９１０において移動局装置１は該第３の情報または該第４の情報に基づいて送信方向設定をセットする。
【０２４５】
Ｔ１９１２において基地局装置３は第２の情報を送信する。Ｔ１９１４において、移動局装置１は該第２の情報に基づいて下りリンク参照設定を再設定し、Ｔ１９１０においてセットした送信方向設定をクリア／破棄する。Ｔ１９１６において、基地局装置３は第３の情報または第４の情報を送信する。Ｔ１９１８において移動局装置１は該第３の情報または該第４の情報に基づいて送信方向設定を再びセットする。
【０２４６】
移動局装置１は、最初に下りリンク参照設定をセットするまでの期間Ｐ１９４０において、上りリンク参照設定に基づいて送信の方向（上り／下り）を特定（選択、決定）する。
【０２４７】
移動局装置１は、下りリンク参照設定をセットしてから最初に送信方向設定をセットするまでの期間Ｐ１９４２において、下りリンク参照設定に基づいて送信の方向（上り／下り）を特定（選択、決定）する。
【０２４８】
移動局装置１は、送信方向設定をセットしてから送信方向設定をクリアするまでの期間Ｐ１９４４において、送信方向設定に基づいて送信の方向（上り／下り）を特定（選択、決定）する。
【０２４９】
移動局装置１は、送信方向設定をクリア（下りリンク参照設定を再設定／変更）してから次の送信方向設定をセットするまでの期間Ｐ１９４６において、下りリンク参照設定に基づいて送信の方向（上り／下り）を特定（選択、決定）する。
【０２５０】
移動局装置１は、送信方向設定をセットしてからの期間Ｐ１９４８において、送信方向設定に基づいて送信の方向（上り／下り）を特定（選択、決定）する。
【０２５１】
尚、Ｔ１９０２において移動局装置１は、第１の情報に基づいて上りリンク参照設定および下りリンク参照設定をセットし、Ｔ１９０６において移動局装置１は該第２の情報に基づいて下りリンク参照設定を再設定してもよい。この場合、移動局装置１は、期間Ｐ１９４０において、下りリンク参照設定に基づいて送信の方向（上り／下り）を特定（選択、決定）する。
【０２５２】
移動局装置１は、第２の情報を受信し、第２の情報に基づき上りリンクの信号の送信が可能なサブフレームを判断し、次に第３の情報または第４の情報が受信されるか監視し、第３の情報または第４の情報を受信した場合に、第３の情報または第４の情報に基づき上りリンクの信号の送信が可能なサブフレームを判断する。
【０２５３】
例えば、基地局装置３は、ＰＤＣＣＨ／ＥＰＤＣＣＨを用いて、第３の情報または第４の情報を移動局装置１に送信する。第３の情報または第４の情報は、基地局装置３（セル）のカバレッジ内のダイナミックＴＤＤの動作の制御を行なう。第３の情報または第４の情報は、複数の移動局装置１宛てに共通に送信される。第３の情報または第４の情報は、ＣＳＳ（Common Search Space）、または、ＵＳＳ（UE-specific Search Space）において送受信される。
【０２５４】
複数の移動局装置１が共通してＰＤＣＣＨ／ＥＰＤＣＣＨの監視を行なう領域である。ＵＳＳは、少なくともＣ−ＲＮＴＩに基づいて定義される領域である。Ｃ−ＲＮＴＩは、移動局装置１に固有に割り当てられる識別子である。
【０２５５】
第３の情報または第４の情報の送受信に用いられるＰＤＣＣＨ／ＥＰＤＣＣＨにはＣ−ＲＮＴＩではなく、共通の識別子が用いられることが好ましい。また、移動局装置１が第３の情報または第４の情報を含むＰＤＣＣＨ／ＥＰＤＣＣＨをモニタするサブフレームは制限されてもよい。基地局装置３は、移動局装置１が第３の情報または第４の情報を含むＰＤＣＣＨ／ＥＰＤＣＣＨをモニタするサブフレームを制御してもよい。
【０２５６】
例えば、１０サブフレーム間隔で、第３の情報または第４の情報を含むＰＤＣＣＨ／ＥＰＤＣＣＨが配置されうる。例えば、移動局装置１は、１０サブフレーム間隔で、第３の情報をモニタする。第３の情報を含むＰＤＣＣＨ／ＥＰＤＣＣＨが配置されうるサブフレームは予め決められてもよい。例えば、第３の情報は無線フレームのサブフレーム０のみに配置されてもよい。
【０２５７】
基地局装置３は、必要と判断した場合にのみ、第３の情報または第４の情報を送信する。例えば、基地局装置３は、送信方向設定を変更すると判断した場合に第３の情報または第４の情報を送信する。例えば、基地局装置３は、ダイナミックＴＤＤの動作を開始した移動局装置１に対して、第３の情報を通知する必要があると判断した場合に第３の情報または第４の情報を送信する。
【０２５８】
ダイナミックＴＤＤの動作を開始した移動局装置１は、第３の情報または第４の情報を含むＰＤＣＣＨ／ＥＰＤＣＣＨが配置されうるサブフレームで、第３の情報または第４の情報を含む下りリンク制御チャネルのモニタを行なう。
【０２５９】
移動局装置１は、受信した信号に対して復号を試み、第３の情報または第４の情報を含むＰＤＣＣＨ／ＥＰＤＣＣＨが検出されたか否かを判断する。移動局装置１は、第３の情報または第４の情報を含むＰＤＣＣＨ／ＥＰＤＣＣＨを検出した場合、検出した第３の情報または検出した第４の情報に基づき、上りリンクの信号の送信が可能なサブフレームを判断する。移動局装置１は、第３の情報または第４の情報を含むＰＤＣＣＨ／ＥＰＤＣＣＨを検出しなかった場合、上りリンクの信号の送信が可能なサブフレームに関してこれまでの判断を維持する。
【０２６０】
このように、送信方向設定がセットされていない期間／場合に、上りリンク参照設定ではなく、下りリンク参照設定に基づいて送信の方向（上り／下り）を特定（選択、決定）することにより、更に、移動局装置１が上りリンクの送信を誤って行なってしまう確率を低くすることができる。
【０２６１】
例えば、上りリンク参照設定によって上りリンクサブフレームとして指示されたが、下りリンク参照設定によって下りリンク参照設定として指示されたサブフレームを、下りリンクサブフレームとして指示する第３の情報の復号を移動局装置１が失敗したとしても、該サブフレームにおいて移動局装置１が上りリンクの送信を行なうことを回避することができる。
【０２６２】
尚、上りリンク参照設定、下りリンク参照設定、および、送信方向設定がセットされている移動局装置１は、上りリンク参照設定を再設定した場合に、下りリンク参照設定および送信方向設定をクリア（clear）／破棄（discard）してもよい。
【０２６３】
以下、本発明の第４の実施形態について説明する。
【０２６４】
以下、別に記載がない限り、第１から第３の実施形態で記載した内容は、第４の実施形態においても適用することが可能である。以下、別に記載がない限り、第４の実施形態の移動局装置１は第１から第３の実施形態の移動局装置１と同様の処理を行なうことができ、第４の実施形態の基地局装置３は第１から第３の実施形態の基地局装置３と同様の処理を行なうことができる。
【０２６５】
第４の実施形態の移動局装置１のサブフレーム設定部１０１３は、タイマーの管理を行なう。サブフレーム設定部１０１３は、タイマーがランニングしている期間のみ、送信方向設定を有効にする。タイマーは一度スタートすると、タイマーがストップされるまで、または、タイマーが満了（expire）するまで、該タイマーはランニングしている。それ以外は、タイマーはランニングしていない。
【０２６６】
サブフレーム設定部１０１３は、送信方向設定をセットする際にタイマーをスタートする。サブフレーム設定部１０１３は、送信方向設定を指示する第３の情報または第４の情報を受信した場合にタイマーをスタートしてもよい。
【０２６７】
サブフレーム設定部１０１３は、送信方向設定をセットする際に、既にタイマーがランニングしているならば、タイマーをリスタートする。サブフレーム設定部は、サブフレーム設定部１０１３は、送信方向設定を指示する第３の情報または第４の情報を受信した場合に、既にタイマーがランニングしているならば、タイマーをリスタートしてもよい。
【０２６８】
サブフレーム設定部１０１３は、上りリンク参照設定または下りリンク参照設定を再設定／変更する際に、送信方向設定をクリアし、タイマーをストップする。サブフレーム設定部１０１３は、タイマーが満了する際に、送信方向設定をクリアする。
【０２６９】
第４の実施形態の基地局装置３のサブフレーム設定部３０１３は、タイマーに関する設定（例えば、タイマーの長さ）を決定し、タイマーに関する設定を示す第５の情報を生成し、送信部３０７を介して該第５の情報を移動局装置１に送信する。移動局装置１のサブフレーム設定部１０１３は、第５の情報に基づいてタイマーに関する設定をセットする。
【０２７０】
尚、タイマーの長さは無限でもよい。尚、第５の情報は、第２の情報とともに送信されてもよい。尚、第５の情報は、第３の情報または第４の情報とともに送信されてもよい。
【０２７１】
図２０は、本発明の第４の実施形態の一例を示すシーケンス図である。図２０において、期間Ｐ２０４０および期間Ｐ２０４２においてタイマーはランニングしている。
【０２７２】
Ｔ２０００において基地局装置３は第１の情報を送信する。Ｔ２００２において、移動局装置１は該第１の情報に基づいて上りリンク参照設定をセットする。Ｔ２００４において基地局装置３は第２の情報および第５の情報を送信する。Ｔ２００６において移動局装置１は該第２の情報に基づいて下りリンク参照設定をセットし、該第５の情報に基づいてタイマーに関する設定をセットする。Ｔ２００８において基地局装置３は第３の情報または第４の情報を送信する。
【０２７３】
Ｔ２０１０において移動局装置１は該第３の情報または該第４の情報に基づいて送信方向設定をセットし、タイマーをスタートする。Ｔ２０１２において、タイマーが満了し、移動局装置１は送信方向設定をクリアする。Ｔ２０１４において基地局装置３は第３の情報または第４の情報を送信する。Ｔ２０１６において移動局装置１は該第３の情報または該第４の情報に基づいて、再び送信方向設定をセットし、タイマーをスタートする。Ｔ２０１８において基地局装置３は第３の情報または第４の情報を送信する。
【０２７４】
Ｔ２０２０において移動局装置１は該第３の情報または該第４の情報に基づいて送信方向設定をセット／再設定／変更し、タイマーをリスタートする。Ｔ２０２２において基地局装置３は第２の情報を送信する。Ｔ２０２４において移動局装置１は該第２の情報に基づいて送信方向設定をセット／再設定／変更し、タイマーをストップし、そして、送信方向設定をクリアする。
【０２７５】
このように、タイマーを用いることにより、更に、移動局装置１が上りリンクの送信を誤って行なってしまう確率を低くすることができる。
【０２７６】
例えば、移動局装置１が送信方向設定の再設定を行なうための第３の情報の復号に失敗したとしても、移動局装置１はタイマーの満了に基づいて送信方向設定がクリアし、上りリンク参照設定によって上りリンクサブフレームとして指示されたが、下りリンク参照設定によって下りリンク参照設定として指示されたサブフレームにおいて上りリンクの送信処理を行わないようにすることで、該サブフレームにおいて移動局装置１が上りリンクの送信を行なうことを回避することができる。
【０２７７】
以下、本発明の第５の実施形態について説明する。
【０２７８】
以下、別に記載がない限り、第１から第３の実施形態で記載した内容は、第５の実施形態においても適用することが可能である。以下、別に記載がない限り、第５の実施形態の移動局装置１は第１から第３の実施形態の移動局装置１と同様の処理を行なうことができ、第５の実施形態の基地局装置３は第１から第３の実施形態の基地局装置３と同様の処理を行なうことができる。
【０２７９】
第５の実施形態の基地局装置３は、第３の情報または第４の情報を含むＭＩＢを移動局装置１に送信する。
【０２８０】
第５の実施形態の移動局装置１は、ＭＩＢの送信周期に基づいて、送信方向設定が有効である期間を特定する。移動局装置１は、あるＭＩＢ送信周期においてセットした送信方向設定を、次のＭＩＢ送信周期の最初に送信されるＭＩＢによって送信方向設定が再設定可能なサブフレームまで有効であるとみなしてもよい。
【０２８１】
図２１は、本発明の第５の実施形態の一例を示す図である。ＳＦＮ ｍｏｄ ４ ＝ ０を満たす無線フレームにおけるサブフレーム０においてＭＩＢの初期送信が行なわれ、他の全ての無線フレームにおけるサブフレーム０においてＭＩＢの再送信（repetition）が行なわれる。図２１において、Ｔ２１００で送信されたＭＩＢは、Ｔ２１０２、Ｔ２１０４、および、Ｔ２１０６において繰り返し送信される。
【０２８２】
図２１のＴ２１００において、移動局装置１はＰＢＣＨを介して送信されたＭＩＢの復号に失敗する。図２１のＴ２１０２において、移動局装置１はＰＢＣＨを介して再送信されたＭＩＢの復号に成功する。図２１のＴ２１０４およびＴ２１０６において、移動局装置１はＭＩＢの復号を試みなくてもよい。図２１のＴ２１０８において、移動局装置１は次のＭＩＢ送信周期で最初に送信されるＭＩＢの復号を試みる。
【０２８３】
図２１において、移動局装置１は、サブフレームｎ−ｋ（Ｔ２１０２）において第３の情報または第４の情報を含むＭＩＢを、ＰＢＣＨを介して受信した場合、サブフレームｎ（Ｔ２１１０）において送信方向設定をセットする（有効にする）。例えば、ｋは４である。例えば、ｋは図１３の表および下りリンク参照設定に基づいて決定される。
【０２８４】
移動局装置１は、期間Ｐ２１４０において送信方向設定を有効にする。移動局装置１は次のＭＩＢ送信周期において最初にＭＩＢが送信されるサブフレーム（Ｔ２１０８）よりｋまたはｋ−１後のサブフレーム（Ｔ２１１２）において、送信方向設定をクリアしてもよい。
【０２８５】
尚、移動局装置１は、送信方向設定がセットされていない期間は、下りリンク参照設定に基づいて送信方向を特定（選択、決定）することが好ましい。
【０２８６】
このように、移動局装置１がＭＩＢの送信周期に基づいて送信方向設定が有効である期間を特定することにより、更に、移動局装置１が上りリンクの送信を誤って行なってしまう確率を低くすることができる。
【０２８７】
本発明に関わる基地局装置３、および移動局装置１で動作するプログラムは、本発明に関わる上記実施形態の機能を実現するように、ＣＰＵ（Central Processing Unit）等を制御するプログラム（コンピュータを機能させるプログラム）であってもよい。そして、これら装置で取り扱われる情報は、その処理時に一時的にＲＡＭ（Random Access Memory）に蓄積され、その後、Ｆｌａｓｈ  ＲＯＭ（Read Only Memory）などの各種ＲＯＭやＨＤＤ（Hard Disk Drive）に格納され、必要に応じてＣＰＵによって読み出し、修正・書き込みが行われる。
【０２８８】
尚、上述した実施形態における移動局装置１、基地局装置３の一部、をコンピュータで実現するようにしてもよい。その場合、この制御機能を実現するためのプログラムをコンピュータが読み取り可能な記録媒体に記録して、この記録媒体に記録されたプログラムをコンピュータシステムに読み込ませ、実行することによって実現してもよい。
【０２８９】
尚、ここでいう「コンピュータシステム」とは、移動局装置１、又は基地局装置３に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０２９０】
さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【０２９１】
また、上述した実施形態における基地局装置３は、複数の装置から構成される集合体（装置グループ）として実現することもできる。装置グループを構成する装置の各々は、上述した実施形態に関わる基地局装置３の各機能または各機能ブロックの一部、または、全部を備えてもよい。装置グループとして、基地局装置３の一通りの各機能または各機能ブロックを有していればよい。また、上述した実施形態に関わる移動局装置１は、集合体としての基地局装置と通信することも可能である。
【０２９２】
また、上述した実施形態における基地局装置３は、ＥＵＴＲＡＮ（Evolved Universal Terrestrial Radio Access Network）であってもよい。また、上述した実施形態における基地局装置３は、ｅＮｏｄｅＢに対する上位ノードの機能の一部または全部を有してもよい。
【０２９３】
また、上述した実施形態における移動局装置１、基地局装置３の一部、又は全部を典型的には集積回路であるＬＳＩとして実現してもよいし、チップセットとして実現してもよい。移動局装置１、基地局装置３の各機能ブロックは個別にチップ化してもよいし、一部、又は全部を集積してチップ化してもよい。また、集積回路化の手法はＬＳＩに限らず専用回路、又は汎用プロセッサで実現してもよい。また、半導体技術の進歩によりＬＳＩに代替する集積回路化の技術が出現した場合、当該技術による集積回路を用いることも可能である。
【０２９４】
また、上述した実施形態では、端末装置もしくは通信装置の一例として移動局装置を記載したが、本願発明は、これに限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などの端末装置もしくは通信装置にも適用出来る。
【０２９５】
以上、この発明の実施形態に関して図面を参照して詳述してきたが、具体的な構成はこの実施形態に限られるものではなく、この発明の要旨を逸脱しない範囲の設計変更等も含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記各実施形態に記載された要素であり、同様の効果を奏する要素同士を置換した構成も含まれる。
【符号の説明】
【０２９６】
１（１Ａ、１Ｂ、１Ｃ）  移動局装置
３  基地局装置
１０１  上位層処理部
１０３  制御部
１０５  受信部
１０７  送信部
３０１  上位層処理部
３０３  制御部
３０５  受信部
３０７  送信部
１０１１  無線リソース制御部
１０１３  サブフレーム設定部
１０１５  スケジューリング情報解釈部
３０１１  無線リソース制御部
３０１３  サブフレーム設定部
３０１５  スケジューリング部
【図１】
0006507454.tif 000002
【図２】
0006507454.tif 000003
【図３】
0006507454.tif 000004
【図４】
0006507454.tif 000005
【図５】
0006507454.tif 000006
【図６】
0006507454.tif 000007
【図７】
0006507454.tif 000008
【図８】
0006507454.tif 000009
【図９】
0006507454.tif 000010
【図１０】
0006507454.tif 000011
【図１１】
0006507454.tif 000012
【図１２】
0006507454.tif 000013
【図１３】
0006507454.tif 000014
【図１４】
0006507454.tif 000015
【図１５】
0006507454.tif 000016
【図１６】
0006507454.tif 000017
【図１７】
0006507454.tif 000018
【図１８】
0006507454.tif 000019
【図１９】
0006507454.tif 000020
【図２０】
0006507454.tif 000021
【図２１】
0006507454.tif 000022